(57)【要約】【課題】好適な調節式眼内レンズを提供すること。【解決手段】患者の眼の水晶体嚢内に移植するための眼内レンズ（ＩＯＬ）は、光学構造体および触覚構造体を備える。光学構造体は、平面部材と、平凸部材と、平面部材と平凸部材との間に画定される流体光学要素とを備える。流体光学要素は、屈折力を有する。触覚構造体は、光学構造体の周辺部分で平面部材と平凸部材とを一緒に連結する。触覚構造体は、流体光学要素と流体連通する流体貯蔵部と、水晶体嚢に接続するための周辺構造とを備える。水晶体嚢の形状を変化させることにより、平面部材の変形に対応する流体光学要素の容積または形状変化のうちの１つまたは複数のものに流体光学要素の屈折力を修正させる。【選択図】図３２
2018158196.tif 000002
【特許請求の範囲】
【請求項１】
本明細書に記載の発明。
【発明の詳細な説明】
【技術分野】
【０００１】
（相互参照）
本ＰＣＴ出願は、２０１４年２月１４日に出願された米国非仮出願第１４／１８１，１４５号（名称「Ｈｙｄｒｏｐｈｉｌｉｃ  ＡＩＯＬ  ｗｉｔｈ  Ｂｏｎｄｉｎｇ」、［代理人事件番号４４６１２−７０３．２０１］）、２０１３年４月３０日に出願された米国仮出願第６１／７８５，７１１号（名称「ＡＣＣＯＭＯＤＡＴＩＮＧ  ＩＮＴＲＡ  ＯＣＵＬＡＲ  ＬＥＮＳ」、［代理人事件番号４４６１２−７０３．１０３］）、２０１３年３月２１日に出願された米国仮出願第６１／８０４，１５７号（名称「ＡＩＯＬ  ＷＩＴＨ  ＣＡＰＳＵＬＥ  ＦＯＲＭＥＤ  ＨＡＰＴＩＣ」、［代理人事件番号４４６１２−７０３．１０４］）、２０１３年４月８日に出願された米国仮出願第６１／８０９，６５２号（名称「ＡＩＯＬ  ＨＩＧＨ  ＭＯＬＥＣＵＬＡＲ  ＷＥＩＧＨＴ  ＲＥＦＲＡＣＴＩＶＥ  ＩＮＤＥＸ  ＭＯＤＩＦＩＥＲＳ」、［代理人事件番号４４６１２−７０３．１０５］）、２０１３年５月２９日に出願された米国仮出願第６１／８２８，６５１号（名称「ＡＣＣＯＭＯＤＡＴＩＮＧ  ＩＮＴＲＡ  ＯＣＵＬＡＲ  ＬＥＮＳ」、［代理人事件番号４４６１２−７０３．１０６］）、および２０１３年９月２４日に出願された米国仮出願第６１／８８１，８７０号（名称「ＡＣＣＯＭＯＤＡＴＩＮＧ  ＩＮＴＲＡ  ＯＣＵＬＡＲ  ＬＥＮＳ」、［代理人事件番号４４６１２−７０３．１０７］）の優先権を主張し、これらの開示全体は、参照によって本明細書に援用される。
【０００２】
（背景）
本開示は、医療デバイスおよび方法に関する。特に、本開示は、調節式眼内レンズ（以後、「ＡＩＯＬ」）に関する。
【背景技術】
【０００３】
白内障は、世界成人集団の大部分に影響を与え得、本来の水晶体が混濁し、視力の喪失をもたらす。白内障に罹患する患者は、本来の水晶体を除去し、人工眼内レンズ（ＩＯＬ）の外科移植により治療され得る。世界的に、年に数百万のＩＯＬ移植手技が実施される。米国では、３５０万の白内障手技が実施されるが、世界的には、年に２０００万を超える手技が実施される。
【０００４】
ＩＯＬ移植は、視力の回復に有効であるが、従来のＩＯＬは、少なくともいくつかの場合において、あまり理想的な結果を提供しない。多くの従来のＩＯＬは、本来の水晶体のように焦点を変更する（調節として知られる）ことができない。また、従来のＡＩＯＬを与えられた眼は、移植後、少なくともある程度の屈折誤差を有する場合があるため、眼鏡が遠距離視力に役立ち得る。従来のＩＯＬは、良好な遠見を提供するのに有効であり得るが、多くの場合において、患者は、中間および近見に眼鏡をかける必要がある。この欠点に対処する従来の多焦点ＩＯＬが提案されたが、従来の多焦点ＩＯＬは、あまり理想的ではない可能性がある。多焦点ＩＯＬは、一般に、少なくともいくつかの場合において、読書および遠見には良好に機能するが、従来の多焦点ＩＯＬは、少なくともいくつかの場合において、顕著なまぶしさ、暈、および視覚的乱れ（ｖｉｓｕａｌ  ａｒｔｉｆａｃｔｓ）を生じる場合がある。
【０００５】
調節式ＩＯＬは、患者が物体を見る距離に応じて調節屈折力を提供することが提案されてきたが、従来のＡＩＯＬは、少なくともいくつかの点であまり理想的ではない場合がある。例えば、従来のＡＩＯＬは、移植後、あまり理想的な量の調節を提供しない可能性があり、あまり理想的な眼の屈折補正を提供しない場合がある。また、従来のＡＩＯＬの調節量は、少なくともいくつかの場合において、移植後に減少し得る。従来のＡＩＯＬの少なくともいくつかは、眼の切開を通して挿入された場合、理想よりも幾分大きい可能性があり、理想よりも幾分大きい切開を必要とする場合がある。また、実施形態に関連する研究は、従来のＡＩＯＬの少なくともいくつかが、少なくともいくつかの場合において、眼に設置されたときに、理想よりもあまり安定していない場合があることを示唆する。
【０００６】
上記の欠如の少なくともいくつかを克服する眼の本来の焦点応答を提供する改善された移植可能な眼内レンズが望ましいであろう。理想的には、そのような改善されたＡＩＯＬは、移植されたとき、増加した調節量を提供する、屈折の安定性を提供する、存在する場合、認知可能な視覚的乱れをほとんど導入せず、患者が見る物体の距離に応じて、眼の屈折力が遠見から近見に変更することを可能にするだろう。
【発明の概要】
【課題を解決するための手段】
【０００７】
本開示の実施形態は、改善されたＡＩＯＬ方法および装置を提供する。多くの実施形態では、ＡＩＯＬは、剛性部材および撓み可能部材がＡＩＯＬのチャンバを実質的に画定するように、剛性部材と、触覚構造体に連結された撓み可能部材とを備える光学構造体を備える。ＡＩＯＬのチャンバは、撓み可能部材が調節可能な屈折力を有する流体レンズを提供するためにチャンバ流体の凸状に湾曲した表面を画定するように、眼の房水より大きい屈折率を有する流体を含む。撓み可能部材および剛性部材は、眼が近見に調節されるとき、撓み可能部材および流体レンズのプロファイルを凸状に湾曲したプロファイルに撓むために、触覚構造体に連結される。多くの実施形態では、水晶体嚢が内向きに移動し、眼が近見に調節されるとき、触覚構造体は、撓み可能部材に内向きの力をもたらすために剛性部材に対して回転する。触覚構造体は、水晶体嚢を受け取るように成形された湾曲した水晶体嚢係合部分を備え得る。触覚構造体は、水晶体嚢の力が変形可能部材の外側部分に増加した量の内向きの力を提供するためにてこ作用により増加し得るように、第１の領域で剛性部材、そして第１の領域と嚢係合部分との間の第２の領域で撓み可能部材に連結され得る。多くの実施形態では、撓み可能部材は、眼が調節されるとき、撓み可能部材の内側部分が、周辺部分の外側部分が内向きに移動するよりも多く剛性部材から離れて移動するように、撓み可能部材の外側部分の移動、内向きの移動を増幅するように構成される。この撓み可能部材の内側部分の移動の増幅および触覚部の嚢の力のてこ作用と連動した曲率の対応する増加は、改善されたＡＩＯＬの調節を提供することができる。
【０００８】
多くの実施形態では、剛性部材、撓み可能部材、および回転触覚部の配置は、減少した量の流体がＡＩＯＬにより使用され、切開の大きさが減少し得るように、内向きの力により撓み可能部材を撓ませることができる。多くの実施形態では、剛性部材、撓み可能部材、および回転触覚部の配置は、レンズチャンバの流体圧なしで内向きの力により撓み可能部材を撓ませることができ、少なくともいくつかの実施形態では、この配置は、チャンバの負圧により撓み可能部材に凸状曲率を提供することができる。多くの実施形態では、撓み可能部材および剛性部材により少なくとも部分的に画定されたチャンバは、ＡＩＯＬに含まれる流体の量および挿入プロファイルが減少し得るように、撓み可能部材の外側部分の下のチャンバの外側部分から流体を受け取る。
【０００９】
光学構造体は、多くの方法のうちの１つまたは複数のものにおいて、増加した量の調節を提供するように構成されることができる。撓み可能部材は、内側光学部分と触覚部との間に曲率遷移部を提供するために、内側光学補正部分と、外側延長部分とを備え得る。反対に湾曲した外側部分は、内側部分内に屈折力変化を集中させるために、光学補正部分の直径を減少させることができる。眼が近見に調節される場合、内側部分は、チャンバの流体により屈折力を提供するために外側に凸状に湾曲した表面を備え、延長部は、内側部分の曲率とは反対である凹状曲率を有する。反対に湾曲した延長部は、撓み可能部材により提供される屈折力および曲率が増加するように、内側光学帯の大きさを減少させることができる。撓み可能部材の内側部分の外表面は、凸状に湾曲する、凹状に湾曲する、または遠見のために実質的に平坦であることができ、近見のための調節構成に撓ませられる場合、より正の曲率を有する。外側部分の外表面は、遠見のために凹状に湾曲するか、または実質的に平坦であってもよく、近見のための調節構成に撓ませられる場合、より負の曲率を有する。撓み可能部材の内側および外側部分の内表面は、同様に湾曲され得る。多くの実施形態では、撓み可能部材は、実質的に均一の厚さを有する。あるいは、外側部分は、内側部分に対して減少した厚さを有し得、内向きの力が触覚部により適用される場合、内側部分の凸状曲率を容易にするために凹状プロファイルを有する外表面を備え得る。外側部分は、内側部分が凸状曲率を有し、外側部分が凹状曲率を有する場合、外側部分の少なくとも一部分が収差を阻止するために瞳孔で覆われるように定寸されることができる。
【００１０】
多くの実施形態では、剛性部材は、患者の遠見を治療するように構成された屈折力を有する平凸状レンズ等のレンズを備える。眼が調節される場合、湾曲可能な部分は、近見のためにさらなる屈折力を提供する。多くの実施形態では、剛性部材のレンズの直径は、眼に挿入されるときのＡＩＯＬの厚さプロファイルを減少させるために、剛性部材のレンズの直径が撓み可能部材の外側部分よりも小さく定寸されるように、撓み可能部材の内側部分の直径に対応する。
【００１１】
多くの実施形態では、調節式ＩＯＬは、第１のレンズ構成要素と、第２のレンズ構成要素とを備え、それぞれ、ポリマーおよびポリマーを含む接着剤から構成される。代替として、または組み合わせて、第１の構成要素は、咬合継手、ねじ、取り付け具、または留め具等の機械的連結により第２の構成要素に固定されることができる。多くの実施形態では、ポリマーは、第１の構成要素、第２の構成要素、および接着剤が一緒に（例えば、同時に、または実質的に類似する速度で）膨張するように、水和され、水和により膨張することができる。一緒に膨張することにより、第１の構成要素、第２の構成要素、および接着剤の間の応力が、実質的に阻止されることができる。また、水和可能な接着剤は、構成要素を一緒に接着する前に、第１および第２の構成要素が剛性の完全に水和されない構成で機械加工されることを可能にする。剛性構成は、実質的に乾燥したポリマー等、完全に水和されないポリマーを含み得る。構成要素は、製造中の取り扱いを容易にするために、実質的に剛性構成で一緒に結合され、接着剤で結合された構成要素が、眼に挿入するために柔軟な水和された構成を備えるように、実質的に水和されることができる。ポリマーを含む接着剤は、増加した強度を提供するために、ポリマー材料自体に類似する化学結合により第１および第２のレンズ構成要素を一緒に結合することができる。
【００１２】
第１の側面では、眼内レンズは、屈折力および触覚構造体を有する光学構造体を備える。光学構造体は、撓み可能部材と、剛性部材と、剛性部材および撓み可能部材により少なくとも部分的に画定される流体チャンバとを備える。触覚構造体は、眼の嚢と係合するための外側構造と、触覚構造体が剛性部材に対して回転するとき、撓み可能部材の曲率を増加させるように撓み可能部材に連結される内側構造とを有する。
【００１３】
多くの実施形態では、撓み可能部材は、第２のプロファイルが第１のプロファイルよりも湾曲する、第１のプロファイルから第２のプロファイルに撓ませられる。チャンバは、チャンバが第１の構成にある撓み可能部材では第１の量の屈折力を有し、第２の構成にある撓み可能部材では第２の量の屈折力を有し、第２の量の屈折力が第１の量を超えるように、１．３３超の屈折率を有する流体を含む。
【００１４】
多くの実施形態では、撓み構造は、内側光学部分と、外側延長部分とを備える。剛性部材、触覚部材、および撓み可能部材は、内側光学部分が増加した曲率により剛性部材から離れて移動し、外側延長部が増加した屈折力を提供するために逆の曲率を有する剛性部材に向かって移動するように配置され得る。剛性部材から離れる内側光学部分の移動および剛性部材に向かう外側延長部分の移動は、流体の移動が減少し、ＡＩＯＬの流体の容積が減少するように、外側延長部分の下のチャンバの外側部分から内側光学部分の下のチャンバの内側部分に流体を伝達させることができる。
【００１５】
多くの実施形態では、回転は、触覚構造体の外周を通って延在する軸の周囲で生じる。眼内レンズが眼に設置されるとき、触覚構造体の外周は、例えば、眼の光学軸を横断する平面にあってもよい。
【００１６】
多くの実施形態では、触覚構造体は、第１の位置の剛性部材に内端上で固定される片持ち触覚構造体を備え得る。触覚部は、内端から外端までの距離に延在する長さを有し得る。触覚構造体は厚さを有し、長さは厚さよりも大きくてもよい。撓み可能部材は、分離距離により第１の位置から分離される第２の位置で触覚構造体に連結され得る。長さは、触覚構造体が剛性部材に対して回転する場合、撓み可能部材の内側光学部分を剛性部材から分離するために、分離距離よりも大きくてもよい。
【００１７】
多くの実施形態では、剛性部材は、１つまたは複数の凸状に湾曲した光学表面を備える。剛性部材は、剛性部材の外縁付近に位置する薄い部分まで延在し得る。薄い部分は、触覚部が眼の構造の圧力に応じて回転するとき、触覚構造体が半径方向の力により撓み可能部材を内向きに付勢するために回転する固定旋回構造体を画定し得る。
【００１８】
多くの実施形態では、撓み可能部材は、内側光学部分と、触覚構造体に連結された外側弾性延長部とを備える。弾性延長部は、撓み可能部材の内側領域の厚さよりも薄い厚さを有し得る。弾性延長部は、弾性延長部が剛性部材から離れて撓み可能部材の内側光学部分を分離したとき、内側光学領域の曲率とは反対の曲率を有し得る。触覚構造体の内縁は、内側光学領域の直径を減少させるか、または内側光学領域の球状撓みにより剛性部材から離れて内側光学領域を付勢し、剛性部材に対する触覚構造体の回転に応じて剛性部材に向かって延長部を付勢するために、弾性延長部および内側光学領域の曲率を、互いに対して反対方向に撓む、のうちの１つまたは複数のものを行うために、変形可能部材の弾性延長部に半径方向の力を加えてもよい。
【００１９】
多くの実施形態では、撓み可能部材の直径の減少は、第１の直径から、触覚構造体の回転に応じて第１の直径より小さい第２の直径に遷移することを含み、直径の減少は、光学構造体の屈折力を増加させるために、剛性部材から離れて内側光学部分を球状に撓ませ、流体で充填されたチャンバの形状をより凸状に湾曲したプロファイルに変更する。
【００２０】
多くの実施形態では、流体で充填されたチャンバの凸状に湾曲したプロファイルは、光学構造体の屈折力を変更するために、増加した容積を有する。流体は、増加した容積に応じて周辺貯蔵部からチャンバ内に引き込まれ得る。
【００２１】
多くの実施形態では、触覚構造体は、指向される半径方向の力に応じて撓み可能部材の周辺部分を半径方向内向きに第１の距離だけ移動し、変形可能部材の内側領域は、第１の移動に対して第２の移動の増幅を提供し、球状プロファイルを有する撓み可能部材を成形するように、触覚構造体の回転に応じて、剛性部材から離れて第１の距離よりも大きい第２の距離だけ付勢され得る。撓み可能部材は、ひずみを阻止するために実質的に均一かつ一定した厚さを有し得る。
【００２２】
本開示の別の側面では、患者の眼に調節を提供する方法は、眼の水晶体嚢内に眼内レンズを設置するステップを含む。眼内レンズは、光学構造体と、光学構造体の外側領域で光学構造体に連結される触覚構造体とを有し得る。眼内レンズの光学構造体の屈折力は、水晶体嚢の内向きの力に応じて、外側領域で触覚構造体を回転させることにより変更され得る。
【００２３】
多くの実施形態では、触覚構造体は、触覚構造体の外周を通って延在する軸の周囲を回転する。眼内レンズが眼に設置されるとき、触覚構造体の外周は、例えば、眼の光学軸を横断する平面にあってもよい。多くの実施形態では、本方法は、触覚構造体の回転に応じて、触覚構造体の外縁に対して光学構造体の少なくとも一部分を前方に並進させることをさらに含み得る。光学構造体の少なくとも一部分の並進は、眼の屈折力を変更し得る。
【００２４】
多くの実施形態では、光学構造体の少なくとも一部分は、触覚構造体の内縁に連結される外側領域と、内側領域と、触覚構造体と内側領域との間の旋回領域を備える撓み可能なプロファイル部材とを備え得る。触覚構造体の内縁は、その直径を減少させるか、または触覚力（ｈａｐｔｉｃ  ｐｏｗｅｒ）を変更するために、触覚構造体の回転に応じて剛性部材から離れて内側領域を撓ませるように、旋回領域で互いに対して外側および内側領域を旋回させるかのうちの１つまたは複数のものを行うために、撓み可能部材の外側領域に内向きの力を加えてもよい。撓み可能部材の直径の減少ならびに互いに対する撓み可能部材の外側および内側領域の旋回は、光学構造体の屈折力を変更するために流体で充填されたチャンバの形状または容積のうちの１つまたは複数のものを変更させ得る。触覚部の内縁は、内縁に指向される半径方向の力に応じて内縁に対して第１の距離だけ移動してもよく、撓み可能部材の内側領域は、触覚構造体の回転に応じて剛性部材から離れて第１の距離よりも大きい第２の距離だけ撓ませられ得る。
【００２５】
本開示の別の側面では、眼内レンズが提供される。眼内レンズは、屈折力を有し、撓み可能部材と、剛性部材と、および撓み可能部材と剛性部材との間に少なくとも部分的に画定される流体チャンバとを備える、光学構造体を備え得る。眼内レンズは、剛性部材の周辺領域に連結され、第１の外部要素と、第２の外部要素と、第１の外部要素と第２の外部要素との間に少なくとも部分的に画定される流体貯蔵部とを備える、触覚構造体を備え得る。流体貯蔵部は、１つまたは複数のチャネルを備える流体チャンバと流体連通してもよい。触覚構造体は、周辺領域で回転するように構成され得、第２の外部要素は、屈折力を変更するために、水晶体嚢の内向きの力に応じて流体貯蔵部の容積を減少させるように、第１の外部要素に向かって内向きに撓むように構成され得る。多くの実施形態では、触覚構造体は、触覚構造体の外周を通って延在する軸の周囲を回転するように構成される。眼内レンズが眼に設置されるとき、触覚構造体の外周は、例えば、眼の光学軸を横断する平面にあってもよい。多くの実施形態では、第２の外部要素は、外側領域と、内側領域と、外側領域と内側領域との間の旋回領域とを有し得る。第２の外部要素の外側および内側領域は、第１の外部要素に向かって第２の外部要素を撓ませるように、旋回領域で互いに対して旋回され得る。多くの実施形態では、流体チャンバの容積は、屈折力を変更するために、流体貯蔵部の容積の減少に応じて増加し得る。流体で充填されたチャンバの形状は、屈折力を変更するために、レンズ流体チャンバの容積の増加に応じて変更され得る。流体で充填されたチャンバの形状変化は、剛性部材から離れる撓み可能部材の内側領域の撓みおよび撓み可能部材の曲率半径の減少を含み得る。多くの実施形態では、触覚構造体の内端は、触覚構造体の回転に応じて第１の距離を移動し得、撓み可能部材の内側領域は、屈折力を変更するために、第１の距離よりも大きい第２の距離だけ剛性部材から離れて撓ませられ得る。流体チャンバの形状変化は、剛性部材の幾何学構造を実質的に撓んでいない状態にとどめてもよい。
【００２６】
多くの実施形態では、撓み可能部材は、触覚構造体の内縁に連結された外側領域と、内側領域と、外側領域と内側領域との間の旋回領域とを備え得る。触覚構造体の内縁は、その直径を変更するか、または光学構造体の屈折力を変更するために、触覚構造体の回転に応じて剛性部材から離れて内側領域を撓ませるように、旋回領域で互いに対して外側および内側領域を旋回させるかのうちの１つまたは複数のものを行うために、撓み可能部材の外側領域に内向きの力を加えてもよい。撓み可能部材および剛性部材は、触覚構造体で支持され、第１の方向とは反対の第２の方向の触覚構造体の外端の回転に応じて第１の方向に一緒に並進してもよい。撓み可能部材は、光学構造体の後方部分に位置し、剛性部材は、眼の光学構造体の前方部分に位置し得る。撓み可能部材は、触覚構造体が水晶体嚢の内向きの力に応じて回転するとき、撓み可能部材の曲率を増加させるように剛性部材に対して後方に移動し得る。触覚構造体は、眼の屈折力が撓み可能部材の増加した曲率、剛性部材に対して後方への撓み可能部材の撓み、ならびに剛性部材および撓み可能部材の前方並進のそれぞれにより増加するように、剛性部材および撓み可能部材を前方に一緒に並進させてもよい。
【００２７】
本開示のこの側面は、提供される眼内レンズを提供し、使用すること等により、患者の眼に調節を提供する方法も提供し得る。
【００２８】
本開示の別の側面では、方法は、患者の眼に調節を提供するために提供される。本方法は、眼の水晶体嚢内に眼内レンズを設置するステップを含み得る。眼内レンズの光学構造体の周辺部分の眼内レンズの触覚構造体は、水晶体嚢の内向きの力に応じて回転され得る。回転は、触覚構造体の外周を通って延在する軸の周囲で生じ得る。光学構造体の部材は、眼の屈折力を変更するために、回転に応じてより湾曲したプロファイルに撓ませられ得る。光学構造体の流体チャンバの形状および容積は、屈折力を変更するために、回転に応じて変更され得る。流体チャンバの形状および容積は、曲率半径を増加させるために、光学構造体の前方または後方部材のうちの１つまたは複数のものを撓ませることにより変更され得る。光学構造体は、屈折力を変更するために、回転に応じて触覚構造体の外縁に対して前方向に並進され得る。多くの実施形態では、そのような分離、撓み、および並進の組み合わせは、屈折力を変更するために組み合わせられてもよい。
【００２９】
本開示のまた別の側面では、患者の眼に調節を提供する方法が提供される。本方法は、眼の水晶体嚢内に眼内レンズを設置するステップを含み得る。眼内レンズは、光学構造体と、光学構造体の周辺領域に連結される触覚構造体とを備え得る。眼内レンズの光学構造体の屈折力は、水晶体嚢の内向きの力に応じて触覚構造体の流体貯蔵部の容積を減少させるために、周辺領域で眼内レンズの触覚構造体を回転させることにより変更されてもよい。眼内レンズの触覚構造体の回転は、触覚構造体の外周を通って延在する軸の周囲で生じ得る。眼内レンズが眼に設置されるとき、触覚構造体の外周は、例えば、眼の光学軸を横断する平面にあってもよい。触覚構造体の流体貯蔵部は、触覚構造体の第１と第２外側部材との間で少なくとも部分的に画定され得る。流体貯蔵部の容積は、内向きの力に応じて、第１の外側部材に向かって内向きに第２の外側部材を撓ませることにより減少させてもよい。光学構造体の屈折力の変化は、流体貯蔵部の容積の減少に応じて光学構造体の流体チャンバの容積を増加させるステップをさらに含み得る。光学構造体の屈折力の変更は、流体で充填されたチャンバの増加した容積に応じて流体で充填されたチャンバの形状を変更するステップをさらに含み得る。
【００３０】
多くの実施形態では、流体で充填されたチャンバの形状の変更は、剛性部材から離れる光学構造体の撓み可能部材の内側領域の撓みおよび剛性部材に向かう撓み可能部材の曲率半径の減少を含む。流体で充填されたチャンバの形状は、剛性部材から離れて撓み可能部材の内側領域および外側領域を並進させることによってさらに変更され得る。触覚構造体の内縁は、触覚構造体の回転に応じて第１の距離を移動し得る。撓み可能部材の内側領域は、屈折力を変更するために、第１の距離よりも大きい第２の距離だけ剛性部材から離れて撓ませられ得る。流体で充填されたチャンバの形状の変更は、剛性部材の幾何学構造を実質的に未変形にとどめてもよい。眼に設置されたとき、光学構造体の撓み可能部材は、光学構造体の後方部分に位置し、剛性部材は、光学構造体の前方部分に位置し得る。光学構造体の屈折力の変更は、触覚構造体が眼の屈折力を増加させるために水晶体嚢の内向きの力に応じて回転するとき、撓み可能部材の曲率を増加させるために、剛性部材に対して前方に撓み可能部材を移動させるステップを含み得る。剛性部材および撓み可能部材は、眼の屈折力を増加させるために、触覚構造体と一緒に前方に並進され得る。撓み可能部材の外周は、眼の屈折力を増加させるために、剛性部材の外周から離れて分離され得る。多くの実施形態では、そのような撓み、並進、および分離は、眼の屈折力を増加させるために組み合わせて使用することができる。
【００３１】
本開示の別の側面では、眼内レンズは、後方部材、前方部材、および後方と前方部材との間の流体で充填されたチャンバを備える光学構造体を備える。眼内レンズは、流体で充填された触覚チャンバの中および外への流体の漏出を阻止するために、後方および前方部材の周辺領域を咬合する触覚構造体を含み得る。多くの実施形態では、咬合領域は、流体の漏出を阻止するために流体密な封止手段を備え得る。触覚構造体は、１つまたは複数の雄部材を有する第１の側面と、１つまたは複数の雌部材を有する第２の側面とを有し得る。１つまたは複数の雄部材は、周辺領域を咬合するために、１つまたは複数の雌部材によって受け取られる後方および前方部材の周辺領域を通過し得る。後方および前方部材の周辺領域は、１つまたは複数の部材が通過する１つまたは複数の開口部を有し得る。後方または前方部材のうちの１つまたは複数の周辺領域は、周辺領域を咬合するために、触覚構造体の１つまたは複数の雌部材によって受け取られる１つまたは複数の雄部材を有し得る。触覚構造体による後方および前方部材の周辺領域の咬合は、眼内レンズが光学構造体の屈折力を変更するために変形されるか、または送達構成に折り畳まれる、もしくは巻かれるかのうちの１つまたは複数の状態であるとき、維持され得る。
【００３２】
本開示のまた別の側面では、眼内レンズが提供される。眼内レンズは、後方部材と、前方部材と、屈折力を提供する後方と前方部材との間の流体で充填されたチャンバとを備える、光学構造体を備える。眼内レンズは、光学構造体に連結された触覚構造体を備え得る。流体で充填されたチャンバの形状または容積のうちの１つまたは複数のものは、触覚構造体に加えられる半径方向の力に応じて変更されるように構成され得る。流体で充填されたチャンバの形状または容積のうちの１つまたは複数の変更は、流体で充填されたチャンバの屈折力を変更し得るが、後方および前方部材によって提供される屈折力を実質的に未変更にとどめる。
【００３３】
本開示の別の側面では、患者の眼に調節を提供する方法が提供される。本方法は、眼の水晶体嚢内に眼内レンズを設置するステップを含み得る。流体で充填されたチャンバの屈折力を変更するために、眼内レンズの流体で充填されたチャンバの形状または容積のうちの１つまたは複数のものが変更され得るが、後方および前方部材によって提供される屈折力を実質的に未変更にとどめる。
【００３４】
本開示のまた別の側面では、眼内レンズが提供される。眼内レンズは、眼に設置するための光学構造体を備え得る。
【００３５】
本開示の別の側面では、方法が提供される。本方法は、眼に光学構造体を設置するステップを含み得る。
【００３６】
多くの実施形態では、本明細書に記載される撓み可能な光学部材は、撓むが、部材が撓むときの光学収差を阻止するために、光学部材の厚さを実質的に維持する利点を有する。
【００３７】
本開示の側面は、患者の眼の水晶体嚢内に移植するための眼内レンズを提供する。眼内レンズは、光学構造体および触覚構造体を備え得る。光学構造体は、周辺部分を有し得、平面部材と、周辺部分で平面部材に連結された平凸部材と、平面部材と平凸部材との間に画定される流体光学要素とを備え得る。流体光学要素は、平面部材および平凸部材を含む材料のいずれかまたは両方に類似する屈折率を有する流体を含み得る。触覚構造体は、光学構造体の周辺部分で平面部材と平凸部材を連結し得る。触覚構造体は、流体光学要素と流体連通する流体貯蔵部と、水晶体嚢に接続するための周辺構造とを備え得る。水晶体嚢の形状を変更することにより、平面部材の変形に対応して流体光学要素の容積または形状の変更のうちの１つまたは複数のものに流体光学要素の屈折力を修正させることができる。例えば、部材を撓ませ、対応して流体光学要素の屈折力を修正するために、水晶体嚢の形状を変更することにより、触覚構造体が平面状部材に機械的力を加えてもよい。そのような平面部材の変形は、いくつかの場合において、平面部材、平凸部材、またはその両方の屈折力に変更をもたらさない場合がある（すなわち、屈折力の変更は、単に、流体光学要素に対する形状または容積の変更のうちの１つまたは複数、および任意に、水晶体嚢内の眼内レンズの前方−後方位置に対する変更によりもたらされ得る）。
【００３８】
触覚部周辺構造は、触覚周辺構造に対する半径方向に指向された力が流体光学要素の屈折力を修正するために平凸部材から離れて略平面部材を撓み得るように、光学構造体の略平面部材に固く連結され得る。平面部材は、平面部材の円形周辺部分に沿って構造体に固定され得る。平凸部材から離れる平面部材の撓みは、球状光学補正をもたらし得る。流体光学要素の屈折力の変更は、触覚構造体の流体貯蔵部から流体光学要素の中または外への流体の移動への応答を含み得る。
【００３９】
触覚流体貯蔵部に課される力は、流体光学要素の屈折力を修正するために、触覚流体貯蔵部を変形させ得る。触覚流体貯蔵部に課される力は、触覚流体貯蔵部を可逆的に変形させるために、触覚流体貯蔵部から流体光学要素の中または外に流体を移動させ得る。
【００４０】
多くの実施形態では、流体光学要素に対する容積の変更は、触覚流体貯蔵部の流体によってもたらされる。多くの実施形態では、流体光学要素の中または外への流体移動は、平凸部材を未変形にとどめる。平凸部材は剛性部材を備え得、平面部材は撓み可能部材を備え得る。これらの実施形態では、流体光学要素は、眼内レンズの屈折力の大部分を提供することができる。流体光学要素内および触覚構造体の流体貯蔵部内の流体は、１．３３よりも大きいまたはそれに等しい屈折率を有し得る。
【００４１】
流体光学要素および触覚構造体の流体貯蔵部内の流体は、シリコーン油等の油、または高分子量デキストラン等の溶液を含み得る。流体は、好適な屈折率で提供され得る。高分子量デキストランは、１．３３超の好適な屈折率および眼の房水に類似する浸透圧で構成される。高分子量デキストランは、少なくとも４０ｋＤａの平均分子量を有し得、平均分子量は、約４０ｋＤａ〜約２０００ｋＤａの範囲内であってもよく、中間範囲は、４０ｋＤａ、７０ｋＤａ、１００ｋＤａ、１０００ｋＤａ、または２０００ｋＤａのいずれかで定義される上限値および下限値を有する。高分子量デキストランは分子量の分布を有し得、分子量の分布は狭いまたは広くあることができる。屈折率は容積当たりのデキストランの重量に基づき、浸透圧は容積当たりの溶質粒子の数によって決定することができるため、平均分子量およびデキストランの量は、適切な屈折率および浸透圧を有するデキストラン溶液を構成するために使用されることができる。
【００４２】
多くの実施形態では、触覚構造体は、患者の眼の水晶体嚢内の定位置に眼内レンズを配向するように構成される。多くの実施形態では、触覚構造体は、前方触覚構造体と、後方触覚構造体とを備え、前方触覚構造体および後方構造体は、それらの間に流体貯蔵部を画定するように一緒に連結される。多くの実施形態では、触覚構造体は、光学構造体の周辺領域に連結される環状構造を備える。触覚構造体は、光学構造体の周辺部分に連結され、それにわたって分布する複数のタブ構造を備え得る。
【００４３】
周辺部分は複数の開口部を備え得、触覚構造体は複数の開口部を通して周辺部分に連結され得る。複数の開口部は、眼内レンズの光学軸に実質的に平行に配向され得る。代替として、または組み合わせて、複数の開口部は、眼内レンズの光学軸を横断して配向され得る。触覚構造体は、触覚構造体を周辺部分に連結するために、光学構造体の周辺部分の複数の開口部を通して設置するための１つまたは複数の支柱または他の構造を備え得る。代替として、または組み合わせて、光学構造体は、触覚構造体の開口部等の構造と嵌合するための支柱を備え得る。
【００４４】
眼内レンズは、断面を減少させた送達構成に折り畳まれるのに十分に可撓であってもよい。眼内レンズの断面を減少させた送達構成は、レンズの光学軸に垂直な送達軸の周囲に眼内レンズを折り畳む、または巻くことによって達成され得る。代替として、または組み合わせて、眼内レンズの断面を減少させた送達構成は、送達管または開口部を通して眼内レンズを前進させることによって達成され得る。
【００４５】
多くの実施形態では、平面部材は、眼内レンズが水晶体嚢内に設置される場合、平凸部材の後方である。
【００４６】
本開示の別の側面は、患者の眼に調節を提供する方法を提供する。最初に、眼内レンズが提供され得る。提供された眼内レンズは、周辺部分および触覚構造体を有する光学構造体を備え得る。光学構造体は、平面部材と、周辺部分で平面部材連結された平凸部材と、平面部材と平凸部材との間に画定される流体光学要素とを備え得る。流体光学要素は、平面部材と平凸部材との間に含む材料のいずれかまたは両方に類似する屈折率を有する流体を含み得る。流体光学要素は、屈折力を有し得る。触覚構造体は、光学構造体の周辺部分で平面部材と平凸部材を一緒に連結してもよい。触覚構造体は、流体光学要素と流体連通する流体貯蔵部と、水晶体嚢に接続するための周辺構造とを備え得る。第２に、眼内レンズは、プロファイルが減少した構成に折り畳まれ得る。第３に、折り畳まれた眼内レンズは、患者の眼の水晶体嚢内に移植される。折り畳まれた眼内レンズは、水晶体嚢内に移植されると、プロファイルが減少した構成から動作構成に戻る。第４に、平面部材の変形に応じて、流体光学要素に対する容積または形状の変更のうちの１つまたは複数のものに流体光学要素の屈折力を修正させるために、光学構造体または触覚構造体のうちの１つまたは複数のものを作動させてもよい。
【００４７】
光学構造体または触覚構造体のうちの１つまたは複数のものは、流体光学要素の屈折力を修正するために、平面部材を変形するように触覚構造体に力を半径方向に指向することにより作動され得る。触覚周辺構造は、光学構造体の略平面部材に固く連結され得る。流体光学要素の屈折力の変化は、触覚構造体の流体貯蔵部から流体光学要素の中または外への流体の移動を伴い得る。触覚流体チャンバから流体光学要素の中または外への流体の移動は、平面部材を撓ませるが、平凸部材を撓んでいない状態にとどめることができる。代替実施形態では、触覚流体チャンバから流体光学要素の中または外への流体の移動は、平面部材および任意に平凸部材も撓み得る。
【００４８】
光学構造体および触覚構造体のうちの１つまたは複数の作動は、流体光学要素の屈折力を修正するために、触覚流体貯蔵部を可逆的に変形するように触覚流体貯蔵部に力を課すことにより作動させてもよい。
【００４９】
多くの実施形態では、光学構造体の周辺部分は、複数の開口部を備え、触覚構造体は、複数の開口部を通して光学構造体の周辺部分で後方および前方部材を一緒に連結する。周辺部分の複数の開口部に連結された触覚構造体は、眼内レンズが折り畳まれるとき、および眼内レンズの機能または動作中、略平面部材および平凸部材を一緒に連結されたままに維持してもよい。複数の開口部は、眼内レンズの光学軸に実質的に平行に配向され得る。複数の開口部は、眼内レンズの光学軸を横断して配向され得る。触覚構造体は、触覚構造体を周辺領域に連結するために、複数の開口部を通して設置するための１つまたは複数の支柱を備え得る。代替として、または組み合わせて、光学構造体の周辺部分は、触覚構造体の１つまたは複数の支柱が光学構造体と触覚構造体を一緒に連結するために通過することができる１つまたは複数の開口部を有し得る。
【００５０】
眼内レンズは、レンズの光学軸に垂直な送達軸の周囲に眼内レンズを折り畳む、または巻くことによって、断面を減少させた送達構成に折り畳んでもよい。代替として、または組み合わせて、眼内レンズは、送達管または開口部を通して眼内レンズを前進させることによって断面を減少させた送達構成に折り畳んでもよい。
【００５１】
折り畳まれた眼内レンズは、レンズ流体チャンバ内の流体を水晶体嚢に存在する流体と浸透平衡に到達させることにより水晶体嚢内に移植され得る。平面部材または平凸部材のうちの１つまたは複数のものは、浸透平衡が達せられるように透水性であってもよい。多くの実施形態では、多孔質の後方または前方部材は、４０ｋＤａを超える分子量を有する化合物に不透過である。
【００５２】
多くの実施形態では、平面部材または平凸部材のうちの１つまたは複数のものは、実質的に屈折力を有していない。
【００５３】
多くの実施形態では、平面部材は、眼内レンズが水晶体嚢内に設置される場合、平凸部材の後方である。
【００５４】
別の側面では、実施形態は、調節式眼内レンズを製造する方法を提供する。ポリマーを含む第１のレンズ構成要素が提供される。ポリマーを含む第２のレンズ構成要素が提供される。第１のレンズ構成要素は、接着剤で第２のレンズ構成要素に結合される。接着剤は、ポリマーのプレポリマーを含み得る。
【００５５】
多くの実施形態では、プレポリマーは、硬化されて、第１のレンズ構成要素と第２のレンズ構成要素との間に延在するポリマーにより、第１のレンズ構成要素を第２のレンズ構成要素に結合する。
【００５６】
多くの実施形態では、第１のレンズ構成要素および第２のレンズ構成要素はそれぞれ、第１のレンズ構成要素が第１のレンズ構成要素と第２のレンズ構成要素との間に延在するポリマーにより第２のレンズ構成要素に結合されるとき、剛性構成を有する。
【００５７】
多くの実施形態では、第１のレンズ構成要素、第２のレンズ構成要素、および硬化した接着剤が水和されて、水和された柔軟な調節式眼内レンズを提供する。
【００５８】
多くの実施形態では、第１のレンズ構成要素、第２のレンズ構成要素、および接着剤の水和は、移植されたときに、ポリマーの水和の量に対応する水和の量に、構成要素のそれぞれおよび接着剤のポリマーを完全に水和するステップを含む。
【００５９】
多くの実施形態では、第１のレンズ構成要素、第２のレンズ構成要素、および硬化された接着剤のそれぞれは、それぞれ、水和前に剛性構成、および水和されたときに柔軟な構成を備え、第１のレンズ構成要素、第２のレンズ構成要素、および硬化された接着剤のそれぞれは、接着剤と第１および第２の構成要素との間の接触面の応力を阻止するために、第１の構成から第２の構成に実質的に類似する量だけ拡張する。
【００６０】
多くの実施形態は、ポリマー材料を提供するステップと、ポリマー材料から第１のレンズ構成要素および第２のレンズ構成要素を成形するステップとをさらに含む。
【００６１】
多くの実施形態では、第１のレンズ構成要素および第２のレンズ構成要素はそれぞれ、第１のレンズ構成要素および第２のレンズ構成要素を成形するために剛性である場合、旋盤にかけられる。
【００６２】
多くの実施形態では、第１のレンズ構成要素および第２のレンズ構成要素は成形される。
【００６３】
多くの実施形態では、プレポリマーは、ポリマーのモノマー、オリゴマー、部分的に硬化されたモノマー、粒子、またはナノ粒子のうちの１つまたは複数のものを含む。
【００６４】
多くの実施形態では、第１のレンズ構成要素はディスク形状の構造を備え、第２の構成要素はディスク形状の構造を備え、第１の構成要素および第２の構成要素は、一緒に結合されたとき、チャンバの反対側のディスク形状の構造とともにチャンバを画定する。
【００６５】
多くの実施形態では、第１の構成要素または第２の構成要素のうちの１つまたは複数のものは、反対側の構成要素を受け取るように定寸され、成形される溝を備え、接着剤は、溝に設置される。
【００６６】
多くの実施形態では、第１の構成要素または第２の構成要素のうちの１つまたは複数のものは、第１のディスク構造を第２のディスク構造から分離し、チャンバの側壁を画定するために、ディスク構造と第２のディスク構造との間に延在する環状構造を備える。
【００６７】
別の側面では、調節式眼内レンズは、第１のレンズ構成要素と、第２のレンズ構成要素と、接着剤とを備える。第１のレンズ構成要素は、ポリマー材料を含む。第２のレンズ構成要素は、ポリマー材料を含む。硬化した接着剤は、第１のレンズ構成要素を第２のレンズ構成要素に結合し、チャンバを画定するために、第１の構成要素と第２の構成要素の少なくとも一部分の間にポリマーを含む。
【００６８】
多くの実施形態では、チャンバは、光学要素を備える。
【００６９】
多くの実施形態は、チャンバ内に約１．３３６の眼の房水の屈折率よりも大きい屈折率を有する流体をさらに含み、第１の構成要素または第２の構成要素のうちの１つまたは複数のものは、調節式眼内レンズの屈折力を増加させるために変形するように構成される。
【００７０】
多くの実施形態は、眼の水晶体嚢の壁と係合し、調節式眼内レンズの屈折力を増加させるために収縮する水晶体嚢の壁に応じて第１のレンズ構成要素または第２のレンズ構成要素のうちの１つまたは複数の曲率を増加させるための１つまたは複数の触覚部をさらに備える。
【００７１】
多くの実施形態は、流体をさらに含み、流体は、溶液、油、シリコーン、油、高分子量分子の溶液、または高分子量デキストランのうちの１つまたは複数のものを含む。
【００７２】
多くの実施形態は、接着剤を含むシームをさらに備え、シームは、第１の構成要素および第２の構成要素の少なくとも一部分に沿って円周方向に延在する。
【００７３】
多くの実施形態では、第１のレンズ構成要素は、第１のディスク形状の構造を備え、第２のレンズ構成要素は、チャンバの反対側に第２のディスク形状の構造を備え、環状構造は、第２のディスク形状の構造から第１のディスク形状の構造を分離し、チャンバを画定するために、第１のディスク形状の構造と第２のディスク形状の構造との間に延在する。
【００７４】
多くの実施形態では、眼内レンズは、移植前は剛性構成を有し、移植されたときは柔軟な構成を有する。
【００７５】
多くの実施形態では、第１のレンズ構成要素は、レンズ、メニスカス、メニスカスレンズ、平板、平坦のうちの１つまたは複数のものを備える第１のディスク形状の光学構造体を備え、第２のレンズ構成要素は、レンズ、メニスカス、メニスカスレンズ、平板、または平板のうちの１つまたは複数のものを備える第２のディスク形状の光学構造体を備える。
【００７６】
本開示のまた別の側面は、患者の眼の水晶体嚢内に移植するための眼内レンズを提供する。眼内レンズは、光学構造体と、触覚構造体とを備え得る。光学構造体は周辺部分を有し得、後方部材と、周辺部分で後方部材に連結された前方部材と、後方と前方部材との間に画定される流体光学要素とを備え得る。流体光学要素は、後方部材および前方部材を含む材料のいずれかまたは両方に類似する屈折率を有する流体を含み得る。流体光学要素は、屈折力を有し得る。触覚構造体は、光学構造体の周辺部分で後方と前方部材を連結してもよい。触覚構造体は、流体光学要素と流体連通する流体貯蔵部と、水晶体嚢に接続するための周辺構造とを備え得る。水晶体嚢の形状を変更することにより、後方または前方部材のうちの１つまたは複数の変形に応じて流体光学要素に容積または形状の変更のうちの１つまたは複数のものに流体光学要素の屈折力を修正させることができる。光学構造体の後方部材または前方部材のうちの１つまたは複数のものは、患者の眼の水晶体嚢に存在する水分が、眼内レンズがその中に設置されたときに水晶体嚢に存在する流体と浸透平衡を達成するために、そこを通って流体レンズチャンバの中または外に移動し得るように、透水性であってもよい。眼内レンズの様々な特徴は、本明細書に開示される多くの実施形態により、多くの方法でさらに構成され得る。
【００７７】
本開示の別の側面では、移植可能な眼内レンズが提供される。眼内レンズは、流体チャンバと、流体チャンバ内に材料を有する光学構造体とを備え得る。材料は、完全に水和されない状態を有し得る。光学構造体の一部分は、眼に設置されたときに材料を完全に水和し、流体チャンバを拡張するために、流体チャンバに水を提供し、流体チャンバからの材料の漏出を阻止するように構成され得る。
【００７８】
本開示のまた別の側面では、患者の眼の水晶体嚢内に人工レンズを移植する方法が提供される。本方法は、眼の切開を通して完全に水和されない構成を備える眼内レンズを前進させるステップを含み得る。水晶体嚢からの水分は、眼内レンズを完全に水和するために、光学構造体の少なくとも一部分を通過し得る。多くの実施形態では、眼内レンズの光学構造体の流体チャンバ内の材料は、光学構造体の少なくとも一部分からの漏出することを阻止されるが、水晶体嚢からの水分は、材料を完全に水和するために通過してもよい。
本発明は、例えば、以下を提供する。
（項目１）
眼内レンズであって、前記眼内レンズは、
屈折力を有する光学構造体であって、前記光学構造体は、撓み可能部材、剛性部材、ならびに前記剛性部材および前記撓み可能部材により少なくとも部分的に画定されるチャンバを備える、光学構造体と、
触覚構造体であって、前記触覚構造体は、眼の嚢と係合するための外側構造、および前記触覚構造体が前記剛性部材に対して回転するときに、前記撓み可能部材の曲率を増加させるように前記撓み可能部材に連結される内側構造を有する、触覚構造体と
を備える、眼内レンズ。
（項目２）
前記撓み可能部材は、第１のプロファイルから、第２のプロファイルに撓むように構成され、前記第２のプロファイルは、前記第１のプロファイルよりも湾曲しており、前記チャンバは、前記チャンバが前記第１の構成にある前記撓み可能部材では第１の量の屈折力を有し、前記第２の構成にある前記撓み可能部材では第２の量の屈折力を有するように、１．３３超の屈折率を有する流体を含み、前記第２の量は、前記第１の量をよりも大きい、項目１に記載の眼内レンズ。
（項目３）
前記撓み可能構造体は、内側光学部分と、外側延長部分とを備える、項目１に記載の眼内レンズ。
（項目４）
前記剛性部材、前記触覚部材、および前記撓み可能部材は、前記内側光学部分が曲率の増加とともに前記剛性部材から離れて移動し、前記外側延長部が増加した屈折力を提供するために逆の曲率で前記剛性部材に向かって移動するように配置される、項目３に記載の眼内レンズ。
（項目５）
前記剛性部材から離れる前記内側光学部分の移動、および前記剛性部材に向かう前記外側延長部分の移動は、前記外側延長部分の下の前記チャンバの外側部分から前記内側光学部分の下の前記チャンバの内側部分に流体を伝達する、項目４に記載の眼内レンズ。
（項目６）
前記触覚構造体は、前記触覚構造体の外周を通って延在する軸の周囲を回転する、項目１に記載の眼内レンズ。
（項目７）
前記触覚構造体は、第１の位置で前記剛性部材に対して内端上に固定される片持ち触覚構造体を備え、前記触覚構造体は、前記内端から外端までの距離を延在する長さを有し、前記触覚構造体は、厚さを有し、前記長さが前記厚さより大きく、前記撓み可能部材が、分離距離によって前記第１の位置から分離される第２の位置で前記触覚構造体に連結され、前記触覚構造体が前記剛性部材に対して回転するとき、前記外側構造から前記第２の位置に機械的てこ作用を提供し、かつ前記撓み可能部材の内側光学部分を前記剛性部材から分離するために、前記長さが、前記分離距離より長い、項目１に記載の眼内レンズ。
（項目８）
前記剛性部材は、１つまたは複数の凸状に湾曲した光学表面を備え、前記剛性部材は、前記剛性部材の外縁付近に位置する薄い部分まで延在し、前記触覚部が前記眼の構造の圧力に応じて回転するとき、前記薄い部分が、前記触覚構造体が半径方向の力により前記撓み可能部材を内向きに付勢するために回転する固定旋回構造を画定する、項目７に記載の眼内レンズ。
（項目９）
前記撓み可能部材は、内側光学部分と、外側弾性延長部とを備え、前記外側弾性延長部は、前記触覚構造体に連結され、前記弾性延長部が、前記撓み可能部材の前記内側領域の厚さよりも薄い厚さを備え、前記弾性延長部が前記撓み可能部材の前記内側光学部分を前記剛性部材から分離したとき、前記弾性延長部は、前記内側光学領域の曲率と反対の曲率を備え、前記触覚構造体の内縁が、前記内側光学領域の球状撓みにより前記内側光学領域を前記剛性部材から離れる方へ付勢するため、および、前記剛性部材に対する前記触覚構造体の回転に応じて前記延長部を前記剛性部材に向かって付勢するために、前記内側光学領域の直径を減少させるか、または前記弾性延長部および前記内側光学領域の曲率を、互いに対して反対方向に撓ませるかのうちの１つまたは複数を行うために、前記撓み可能部材の前記弾性延長部に半径方向の力を加える、項目７に記載の眼内レンズ。
（項目１０）
前記撓み可能部材の直径の減少は、前記触覚構造体の回転に応じて、第１の直径から、前記第１の直径より小さい第２の直径に遷移することを含み、前記直径の減少が、前記光学構造体の前記屈折力を増加させるために、前記剛性部材から離れて前記内側光学部分を球状に撓ませ、前記流体で充填されたチャンバの形状をより凸状に湾曲したプロファイルに変更する、項目９に記載の眼内レンズ。
（項目１１）
前記流体で充填されたチャンバの前記凸状に湾曲したプロファイルは、前記光学構造体の前記屈折力を変更するために増加した容積を有し、流体が、前記増加した容積に応じて周辺貯蔵部から前記チャンバ内に引き込まれる、項目１０に記載の眼内レンズ。
（項目１２）
前記触覚構造体は、その上に指向される半径方向の力に応じて前記撓み可能部材の周辺部分を半径方向内向きに第１の距離だけ移動し、前記撓み可能部材の前記内側領域は、前記触覚構造体の前記回転に応じて、前記剛性部材から離れる方へ前記第１の距離よりも長い前記第２の距離だけ付勢され、それにより、前記第１の移動に対する第２の移動の増幅を提供し、球状プロファイルを有する前記撓み可能部材を成形し、前記撓み可能部材は、ひずみを阻止するために実質的に均一かつ一定した厚さを有する、項目９に記載の眼内レンズ。
（項目１３）
患者の眼に調節を提供する方法であって、前記方法は、
前記眼の前記水晶体嚢内に眼内レンズを設置することであって、前記眼内レンズは、光学構造体および触覚構造体を有し、前記触覚構造体は、その外側領域で前記光学構造体に連結される、ことと、
前記水晶体嚢の内向きの力に応じて前記外側領域で前記触覚構造体を回転させることにより、前記眼内レンズの光学構造体の屈折力を変更することと
を含む、方法。
（項目１４）
眼内レンズであって、前記眼内レンズは、
屈折力を有し、撓み可能部材、剛性部材、およびそれらの間に少なくとも部分的に画定される流体チャンバを備える、光学構造体と、
前記剛性部材の周辺領域に連結され、第１の外部要素、第２の外部要素、およびそれらの間に少なくとも部分的に画定される流体貯蔵部を備える触覚構造体であって、前記流体貯蔵部は、１つまたは複数のチャネルで前記流体チャンバと流体連通する、触覚構造体と
を備え、前記触覚構造体は、前記周辺領域で回転するように構成され、前記第２の外部要素は、前記屈折力を変更するために、水晶体嚢の内向きの力に応じて前記流体貯蔵部の容積を減少させるように、前記第１の外部要素に向かって内向きに撓むように構成される、眼内レンズ。
（項目１５）
前記触覚構造体は、前記触覚構造体の外周を通って延在する軸の周囲を回転するように構成される、項目１４に記載の眼内レンズ。
（項目１６）
前記第２の外部要素は、外側領域、内側領域、およびそれらの間の旋回領域を有し、前記第２の外部要素のその他および内側領域が、前記第１の外部要素に向かって前記第２の外部要素を撓ませるために前記旋回領域で互いに対して旋回する、項目１４に記載の眼内レンズ。
（項目１７）
前記流体チャンバの容積は、前記屈折力を変更するために、前記流体貯蔵部の前記容積の減少に応じて増加する、項目１４に記載の眼内レンズ。
（項目１８）
前記流体で充填されたチャンバの形状は、前記屈折力を変更するために、前記レンズ流体チャンバの前記容積の増加に応じて変化する、項目１７に記載の眼内レンズ。
（項目１９）
前記流体で充填されたチャンバの前記形状変化は、前記剛性部材から離れる前記撓み可能部材の内側領域の撓み、および前記剛性部材に向かう前記撓み可能部材の曲率半径の減少を含む、項目１８に記載の眼内レンズ。
（項目２０）
前記触覚構造体の内縁は、前記触覚構造体の前記回転に応じて第１の距離だけ移動し、前記撓み可能部材の前記内側領域が、前記屈折力を変更するために、前記第１の距離よりも長い第２の距離前記剛性部材から離れる方へ撓ませられる、項目１８に記載の眼内レンズ。
（項目２１）
前記流体で充填されたチャンバの前記形状変化は、剛性部材の幾何学構造を実質的に未変形にとどめる、項目１８に記載の眼内レンズ。
（項目２２）
前記撓み可能部材は、前記触覚構造体の内縁、内側領域、およびそれらの間の旋回領域に連結される外側領域を備え、
前記触覚構造体の前記内縁は、その直径を変更すること、または前記光学構造体の前記屈折力を変更するために、前記触覚構造体の回転に応じて前記剛性部材から離れて前記内側領域を撓ませるように、前記旋回領域で互いに対して前記外側および内側領域を旋回させることのうちの１つまたは複数を行うために、前記撓み可能部材の前記外側領域に内向きの力を加える、項目１４に記載の眼内レンズ。
（項目２３）
前記撓み可能部材および前記剛性部材は、触覚構造体で支持され、第１の方向とは反対の第２の方向の前記触覚構造体の前記外端の前記回転に応じて前記第１の方向に一緒に並進する、項目１４に記載の眼内レンズ。
（項目２４）
前記眼に設置されるとき、前記撓み可能部材は、前記光学構造体の後方部分に位置し、前記剛性部材は、前記光学構造体の前方部分に位置し、
前記触覚構造体が前記水晶体嚢の前記内向きの力に応じて回転するとき、前記撓み可能部材は、前記撓み可能部材の曲率を増加させるように前記剛性部材に対して後方に移動し、
前記触覚構造体は、前記眼の前記屈折力が、前記撓み可能部材の増加した曲率、前記剛性部材に対する前記撓み可能部材の前方移動、ならびに前記剛性部材および前記撓み可能部材の前方移動のそれぞれにより増加するように、前記剛性部材および前記撓み可能部材を前方に一緒に並進させる、項目２３に記載の眼内レンズ。
（項目２５）
患者の眼に調節を提供する方法であって、前記方法は、
前記眼の水晶体嚢内に眼内レンズを設置することと、
前記水晶体嚢の内向きの力に応じて前記眼内レンズの光学構造体の周辺部分で前記眼内レンズの触覚構造体を回転させることであって、前記回転が、前記触覚構造体の外周を通して延在する軸の周囲に生じる、ことと、
前記眼の屈折力を変更するために、前記回転に応じて前記光学構造体の部材をより湾曲したプロファイルに撓ませることと、
前記屈折力を変更するために、前記回転に応じて前記光学構造体の流体チャンバの形状および容積を変更することであって、前記流体チャンバの形状および容積が、曲率半径を増加させるために、前方部材および後方部材のうちの１つまたは複数を撓ませることにより変更される、ことと、
前記屈折力を変更するために、前記回転に応じて前記触覚構造体の外縁に対して前方方向に前記光学構造体を並進させることと
を含む、方法。
（項目２６）
患者の眼に調節を提供する方法であって、前記方法は、
前記眼の水晶体嚢内に眼内レンズを設置することであって、前記眼内レンズは、光学構造体、および前記光学構造体の周辺領域に連結される触覚構造体を備える、ことと、
前記水晶体嚢の内向きの力に応じて前記触覚構造体の流体貯蔵部の容積を減少させるために、前記周辺領域で前記眼内レンズの触覚構造体を回転させることにより、前記眼内レンズの光学構造体の屈折力を変更することと
を含む、方法。
（項目２７）
眼内レンズであって、前記眼内レンズは、
後方部材、前方部材、およびそれらの間の流体で充填されたチャンバを備える光学構造体と、
前記流体で充填された触覚チャンバの中および外への流体の漏出を阻止するために、前記後方部材および前方部材の周辺領域を咬合する触覚構造体と
を備える、眼内レンズ。
（項目２８）
前記咬合領域は、前記流体の漏出を阻止するために流体密な封止手段を備え、前記触覚構造体が、１つまたは複数の雄部材を有する第１の側面と、１つまたは複数の雌部材を有する第２の側面とを有し、前記１つまたは複数の雄部材は、前記周辺領域を咬合するように前記１つまたは複数の雌部材によって受け取られる前記後方部材および前方部材の前記周辺領域を通過する、項目２７に記載の眼内レンズ。
（項目２９）
前記後方部材および前方部材の前記周辺領域は、前記１つまたは複数の部材が通過する１つまたは複数の開口部を有する、項目２８に記載の眼内レンズ。
（項目３０）
前記後方部材または前方部材のうちの１つまたは複数の前記周辺領域は、前記周辺領域を咬合するように、前記触覚構造体の１つまたは複数の雌部材によって受け取られる１つまたは複数の雄部材を有する、項目２７に記載の眼内レンズ。
（項目３１）
前記眼内レンズが、前記光学構造体の屈折力を変更するために変形されるか、または送達構成に折り畳まれる、もしくは巻かれるかのうちの１つまたは複数の状態であるとき、前記触覚構造体による前記後方および前方部材の前記周辺領域の前記咬合が、維持される、項目２７に記載の眼内レンズ。
（項目３２）
眼内レンズであって、前記眼内レンズは、
後方部材、前方部材、および屈折力を提供する、それらの間の流体で充填されたチャンバを備える光学構造体と、
前記光学構造体に連結された触覚構造体と
を備え、前記流体で充填されたチャンバの形状または容積のうちの１つまたは複数は、前記触覚構造体に加えられる半径方向の力に応じて変更されるように構成され、
前記流体で充填されたチャンバの形状または容積のうちの１つまたは複数の前記変更が、前記流体で充填されたチャンバの前記屈折力を変更するが、前記後方部材および前方部材によって提供される屈折力を実質的に未変更にとどめる、眼内レンズ。
（項目３３）
患者の眼に調節を提供する方法であって、前記方法は、
前記眼の水晶体嚢内に眼内レンズを設置することと、
流体で充填されたチャンバの屈折力を変更するために前記眼内レンズの前記流体で充填されたチャンバの形状または容積のうちの１つまたは複数を変更するが、前記後方部材および前方部材によって提供される屈折力を実質的に未変更にとどめることと
を含む、方法。
（項目３４）
調節式眼内レンズを製造する方法であって、前記方法は、
ポリマーを含む第１のレンズ構成要素を提供することと、
前記ポリマーを含む第２のレンズ構成要素を提供することと、
接着剤で、前記第１のレンズ構成要素を前記第２のレンズ構成要素に結合することと
を含む、方法。
（項目３５）
前記接着剤は、前記ポリマーのプレポリマーを含む、項目３４に記載の方法。
（項目３６）
前記接着剤は、エチレングリコールジメタクリレート（ＥＧＤＭＡ）、ジエチレングリコールジメタクリレート（ＤＥＧＤＭＡ）、トリエチレングリコールトリメタクリレート（ＴＥＧＤＭＡ）、ヒドロキシエチルメタクリレート（ＨＥＭＡ）、またはメチルメタクリレート（ＭＭＡ）のうちの少なくとも１つを含む、項目３４に記載の方法。
（項目３７）
前記プレポリマーは、硬化されて、前記第１のレンズ構成要素と前記第２のレンズ構成要素との間に延在する前記ポリマーにより、前記第１のレンズ構成要素を前記第２のレンズ構成要素に結合する、項目３５に記載の方法。
（項目３８）
前記第１のレンズ構成要素が、前記第１の構成要素と前記第２の構成要素との間に延在する前記ポリマーにより前記第２のレンズ構成要素に結合される場合、前記第１のレンズ構成要素および前記第２のレンズ構成要素がそれぞれ、剛性構成を備える、項目３７に記載の方法。
（項目３９）
水和された柔軟な調節式眼内レンズを提供するために、前記第１のレンズ構成要素、前記第２のレンズ構成要素、および前記硬化された接着剤を水和することをさらに含む、項目３８に記載の方法。
（項目４０）
前記第１のレンズ構成要素、前記第２のレンズ構成要素、および前記接着剤を水和することは、移植されたときの前記ポリマーの水和量に対応する水和量に、前記構成要素のそれぞれおよび前記接着剤の前記ポリマーを完全に水和することを含む、項目３９に記載の方法。
（項目４１）
前記第１のレンズ構成要素、前記第２のレンズ構成要素、および前記硬化された接着剤のそれぞれは、それぞれ、水和前に剛性構成を備え、水和されたときに柔軟な構成を備え、前記第１のレンズ構成要素、前記第２のレンズ構成要素、および前記硬化された接着剤のそれぞれが、前記接着剤と前記第１および第２の構成要素との間の接触面の応力を阻止するために、前記第１の構成から前記第２の構成に実質的に同様の量拡張する、項目３５に記載の方法。
（項目４２）
前記ポリマー材料を提供することと、前記ポリマー材料から前記第１のレンズ構成要素および前記第２のレンズ構成要素を成形することとをさらに含む、項目３５に記載の方法。
（項目４３）
前記第１のレンズ構成要素および前記第２のレンズ構成要素はそれぞれ、前記第１のレンズ構成要素および前記第２のレンズ構成要素を成形するために剛性である場合、旋盤にかけられる、項目４２に記載の方法。
（項目４４）
前記第１のレンズ構成要素および前記第２のレンズ構成要素は、成形される、項目４２に記載の方法。
（項目４５）
前記プレポリマーは、前記ポリマーのモノマー、オリゴマー、部分的に硬化されたモノマー、粒子、またはナノ粒子のうちの１つまたは複数を含む、項目３５に記載の方法。
（項目４６）
前記第１のレンズ構成要素は、ディスク形状の構造を備え、前記第２の構成要素は、ディスク形状の構造を備え、前記第１の構成要素および前記第２の構成要素が、一緒に結合されたとき、チャンバを、前記チャンバの反対側の前記ディスク形状の構造により画定する、項目３５に記載の方法。
（項目４７）
前記第１の構成要素または前記第２の構成要素のうちの１つまたは複数は、反対側の構成要素を受け取るようにサイズを合わせられて成形される溝を備え、前記接着剤が、前記溝に設置される、項目４６に記載の方法。
（項目４８）
前記第１の構成要素または前記第２の構成要素のうちの１つまたは複数は、前記第１のディスク構造を前記第２のディスク構造から分離し、前記チャンバの側壁を画定するために、前記ディスク構造と前記第２のディスク構造との間に延在する環状構造を備える、項目４６に記載の方法。
（項目４９）
調節式眼内レンズであって、前記調節式眼内レンズは、
ポリマー材料を含む第１のレンズ構成要素と、
前記ポリマー材料を含む第２のレンズ構成要素と、
前記第１のレンズ構成要素を前記第２のレンズ構成要素に結合し、チャンバを画定するために、前記第１の構成要素の少なくとも一部分と前記第２の構成要素との間に前記ポリマーを含む硬化した接着剤と
を備える、調節式眼内レンズ。
（項目５０）
前記チャンバは、光学要素を備える、項目４９に記載の調節式眼内レンズ。
（項目５１）
約１．３３６の眼の房水の屈折率より大きい屈折率を有する流体をチャンバ内にさらに含み、前記第１の構成要素または前記第２の構成要素のうちの１つまたは複数が、調節式眼内レンズの屈折力を増加させるために変形するように構成される、項目４９に記載の調節式眼内レンズ。
（項目５２）
前記眼の水晶体嚢の壁と係合し、前記調節式眼内レンズの屈折力を増加させるために前記水晶体嚢の前記壁が収縮するのに応じて前記第１のレンズ構成要素又は前記第２のレンズ構成要素のうちの１つまたは複数の曲率を増加させるための１つまたは複数の触覚部をさらに備える、項目４９に記載の調節式眼内レンズ。
（項目５３）
流体をさらに含み、前記流体が、溶液、油、シリコーン、油、高分子量分子の溶液、または高分子量デキストランのうちの１つまたは複数のものを含む、項目４９に記載の調節式眼内レンズ。
（項目５４）
前記接着剤を含むシームをさらに備え、前記シームが、前記第１の構成要素および前記第２の構成要素の少なくとも一部分に沿って円周方向に延在する、項目４９に記載の調節式眼内レンズ。
（項目５５）
前記第１のレンズ構成要素は、第１のディスク形状の構造を備え、前記第２のレンズ構成要素は、前記チャンバの反対側に第２のディスク形状の構造を備え、環状構造が、前記第２のディスク形状の構造から前記第１のディスク形状の構造を分離し、前記チャンバを画定するように、前記第１のディスク形状の構造と前記第２のディスク形状の構造との間に延在する、項目４９に記載の調節式眼内レンズ。
（項目５６）
前記眼内レンズは、移植前に剛性構成を備え、移植されたときに柔軟な構成を備える、項目４９に記載の調節式眼内レンズ。
（項目５７）
前記第１のレンズ構成要素は、レンズ、メニスカス、メニスカスレンズ、平板、平坦部のうちの１つまたは複数のものを備える第１のディスク形状の光学構造体を備え、前記第２のレンズ構成要素は、レンズ、メニスカス、メニスカスレンズ、平板、または平板のうちの１つまたは複数のものを備える第２のディスク形状の光学構造体を備える、項目４９に記載の調節式眼内レンズ。
（項目５８）
患者の眼の水晶体嚢内に移植するための眼内レンズであって、前記眼内レンズは、
周辺部分を有する光学構造体であって、前記光学構造体は、
平面部材、
前記周辺部分で前記平面部材に連結される平凸部材、および
前記平面部材と平凸部材との間に画定される流体光学要素であって、前記流体光学要素は、前記平面部材および平凸部材を構成する材料のいずれか、または両方に類似する屈折率を有する流体を含み、前記流体光学要素は、屈折力を有する、流体光学要素
を備える、光学構造体と、
前記光学構造体の前記周辺部分で前記平面部材および平凸部材を一緒に連結する触覚構造体であって、前記触覚構造体は、
前記流体光学要素と流体連通する流体貯蔵部、および
前記水晶体嚢に接触するための周辺構造
を備える、触覚構造体と
を備え、前記水晶体嚢の形状を変化させることにより、前記平面部材の変形に対応して前記流体光学要素の容積または形状変化のうちの１つまたは複数に前記流体光学要素の前記屈折力を修正させる、眼内レンズ。
（項目５９）
前記触覚周辺構造は、前記触覚周辺構造に対して半径方向に指向される力が前記流体光学要素の前記屈折力を修正するために前記平凸部材から離れて前記平面部材を撓ませるように、前記光学構造体の前記略平面部材に固く連結され、前記平面部材が、前記平面部材の円形周辺部分に沿った構造に固定され、前記平凸部材から離れた前記平面部材の撓みが、球状光学補正を提供する、項目５８に記載の眼内レンズ。
（項目６０）
前記流体光学要素の前記屈折力の変化は、前記触覚構造体の前記流体貯蔵部から前記流体光学要素の中または外への流体の移動に応答することを含む、項目５９に記載の眼内レンズ。
（項目６１）
前記触覚流体貯蔵部に課される力は、前記流体光学要素の前記屈折力を修正するように、前記触覚流体貯蔵部を可逆的に変形させる、項目５８に記載の眼内レンズ。
（項目６２）
前記触覚流体貯蔵部に課される前記力は、前記触覚流体貯蔵部を変形させるために、前記触覚流体貯蔵部から前記流体光学要素の中または外に流体を移動させる、項目６１に記載の眼内レンズ。
（項目６３）
前記流体光学要素に対する容積変化は、前記触覚流体貯蔵部の流体によってもたらされる、項目５８に記載の眼内レンズ。
（項目６４）
前記流体光学要素の中または外への流体の移動は、前記平凸部材を未変形にとどめ、前記平凸部材は、剛性部材を備え、前記平面部材は、撓み可能部材を備える、項目５８に記載の眼内レンズ。
（項目６５）
前記流体光学要素内および前記触覚構造体の前記流体貯蔵部内の前記流体は、１．３３よりも大きいまたは等しい屈折率を有する、項目５８に記載の眼内レンズ。
（項目６６）
前記平面部材または平凸部材のうちの１つまたは複数は、ポリマー材料を含む、項目５８に記載の眼内レンズ。
（項目６７）
前記ポリマー材料は、ＰＭＭＡコポリマーを含む、項目６６に記載の眼内レンズ。
（項目６８）
前記ポリマー材料は、透水性である、項目６６に記載の眼内レンズ。
（項目６９）
前記ポリマー材料は、親水性である、項目６６に記載の眼内レンズ。
（項目７０）
前記患者の眼の前記水晶体嚢に存在する水分は、前記眼内レンズがその中に設置されたとき、前記水晶体嚢に存在する流体と浸透平衡を達成するように、前記ポリマー材料を通して前記流体光学要素の中または外に移動する、項目６８または６９に記載の眼内レンズ。
（項目７１）
前記ポリマー材料は、シリコーン油に不透過性である、項目６８に記載の眼内レンズ。
（項目７２）
前記ポリマー材料は、４０ｋＤａ超の分子量を有する化合物に不透過性である、項目６８に記載の眼内レンズ。
（項目７３）
前記流体光学要素および前記触覚構造体の前記流体貯蔵部内の前記流体は、高分子量デキストランを含む、項目５８に記載の眼内レンズ。
（項目７４）
前記高分子量デキストランは、少なくとも４０ｋＤａの分子量を有する、項目７３に記載の眼内レンズ。
（項目７５）
前記触覚構造体は、前記患者の眼の前記水晶体嚢内の定位置に前記眼内レンズを配向するように構成される、項目５８に記載の眼内レンズ。
（項目７６）
前記触覚構造体は、前方触覚構造体と、後方触覚構造体とを備え、前記前方触覚構造体および前記後方構造が、それらの間に前記流体貯蔵部を画定するように一緒に連結される、項目５８に記載の眼内レンズ。
（項目７７）
前記触覚構造体は、前記光学構造体の前記周辺領域に連結される環状構造を備える、項目５８に記載の眼内レンズ。
（項目７８）
前記触覚構造体は、前記光学構造体の前記周辺部分に連結され、それにわたって分布する複数のタブ構造を備える、項目７７に記載の眼内レンズ。
（項目７９）
前記周辺部分は、複数の開口部を備え、前記触覚構造体が、前記複数の開口部を通して前記周辺部分に連結される、項目５８に記載の眼内レンズ。
（項目８０）
前記複数の開口部は、前記眼内レンズの前記光学軸に実質的に平行に配向される、項目７９に記載の眼内レンズ。
（項目８１）
前記複数の開口部は、前記眼内レンズの前記光学軸を横断して配向される、項目７９に記載の眼内レンズ。
（項目８２）
前記触覚構造体は、前記触覚構造体を前記周辺部分に連結するために、前記複数の開口部を通して設置するための１つまたは複数の支柱を備える、項目７９に記載の眼内レンズ。
（項目８３）
前記眼内レンズは、断面を減少させた送達構成に折り畳まれるのに十分に可撓である、項目５８に記載の眼内レンズ。
（項目８４）
前記眼内レンズの前記断面を減少させた送達構成は、前記レンズの光学軸に垂直な送達軸の周囲に前記眼内レンズを折り畳む、または巻くことによって達成される、項目８３に記載の眼内レンズ。
（項目８５）
前記眼内レンズの前記断面を減少させた送達構成は、送達管または開口部を通して前記眼内レンズを前進させることによって達成される、項目８３に記載の眼内レンズ。
（項目８６）
前記略平面部材は、前記平凸部材の後方である、項目５８に記載の眼内レンズ。
（項目８７）
患者の眼に調節を提供する方法であって、前記方法は、
（ｉ）眼内レンズを提供することであって、前記眼内レンズは、
（ａ）周辺部分を有する光学構造体であって、前記光学構造体は、
平面部材、
前記周辺部分で前記略平面部材に連結される平凸部材、および
前記平面部材と平凸部材との間に画定される流体光学要素であって、前記流体光学要素は、略平面部材と平凸部材との間を構成する材料のいずれか、または両方に類似する屈折率を有する流体を含み、前記流体光学要素は、屈折力を有する、流体光学要素
を備える、光学構造体と、
（ｂ）前記光学構造体の前記周辺部分で前記平面部材および平凸部材を一緒に連結する触覚構造体であって、前記触覚構造体は、
前記流体光学要素と流体連通する流体貯蔵部、および
前記水晶体嚢に接触するための周辺構造
を備える、触覚構造体と
を備える、ことと、
（ｉｉ）前記眼内レンズを、プロファイルを減少させた構成に折り畳むことと、
（ｉｉｉ）前記折り畳まれた眼内レンズを、前記患者の眼の水晶体嚢内に移植することであって、前記折り畳まれた眼内レンズが、前記水晶体嚢内に移植されたときに、前記プロファイルが減少した構成から動作構成に戻る、ことと、
（ｉｖ）前記流体光学要素の前記屈折力を修正するために、前記略平面部材の変形に対応して前記流体光学要素に容積または形状変化のうちの１つまたは複数を生じさせるように、前記光学構造体または前記触覚構造体のうちの１つまたは複数を作動させることと
を含む、方法。
（項目８８）
患者の眼の水晶体嚢内に移植するための眼内レンズであって、前記眼内レンズは、
周辺部分を有する光学構造体であって、前記光学構造体は、
後方部材、
前記周辺部分で前記後方部材に連結される前方部材、および
前記後方部材と前方部材との間に画定される流体光学要素であって、前記流体光学要素は、前記後方部材および前記前方部材に類似する屈折率を有する流体を含み、前記流体光学要素は、屈折力を有する、流体光学要素
を備える、光学構造体と、
前記光学構造体の前記周辺部分で前記後方および前方部材に連結される触覚構造体であって、前記触覚構造体は、
前記流体光学要素と流体連通する流体貯蔵部、および
前記水晶体嚢に接触するための周辺構造
を備える、触覚構造体と
を備え、前記水晶体嚢の形状変化が、前記流体光学要素の前記屈折力を修正するために、前記後方または前方部材のうちの１つまたは複数の変形に対応して、前記流体光学要素に容積および形状変化のうちの１つまたは複数を生じさせ、
前記後方部材または前記前方部材のうちの１つまたは複数のものが、前記患者の眼の水分が、前記眼内レンズがその中に設置されたときに前記水晶体嚢に存在する流体と浸透平衡を達成するように流体レンズチャンバの中または外に移動することができるように、透水性である、眼内レンズ。
（項目８９）
前記光学構造体の前記後方部材または前記前方部材のうちの１つまたは複数のものは、平凸プロファイルを備える、項目８８に記載の眼内レンズ。
（項目９０）
前記光学構造体の前記後方部材または前記前方部材のうちの１つまたは複数のものは、平面プロファイルを備える、項目８８に記載の眼内レンズ。
（項目９１）
前記光学構造体の前記後方部材または前方部材のうちの１つまたは複数のものは、屈折力を有していない、項目８８に記載の眼内レンズ。
（項目９２）
前記レンズ流体チャンバの中または外への流体移動は、前記後方部材または前方部材のうちの１つまたは複数のものを未変形にとどめる、項目８８に記載の眼内レンズ。
（項目９３）
前記触覚周辺構造は、前記後方部材または前記前方部材のうちの１つまたは複数のものに固く連結され、それによって、前記触覚周辺構造に対して半径方向に指向される力が、前記流体光学要素の前記屈折力を修正するために、前記後方部材または前記前方部材のうちの前記１つまたは複数のものを変形する、項目８８に記載の眼内レンズ。
（項目９４）
前記流体光学要素の前記屈折力の変化は、前記触覚構造体の前記流体貯蔵部から前記流体光学要素の中または外への流体の移動により生じる、項目９３に記載の眼内レンズ。
（項目９５）
前記触覚流体貯蔵部に課される力は、前記流体光学要素の前記屈折力を修正するように、前記触覚流体貯蔵部を可逆的に変形させる、項目８８に記載の眼内レンズ。
（項目９６）
前記触覚流体貯蔵部に課される前記力は、前記触覚流体貯蔵部を変形させるために、前記触覚流体貯蔵部から前記流体光学要素の中または外に流体を移動させる、項目９５に記載の眼内レンズ。
（項目９７）
前記流体光学要素の中または外への流体移動は、前記平凸部材を撓んでいない状態にとどめる、項目８８に記載の眼内レンズ。
（項目９８）
前記流体光学要素内および前記触覚構造体の前記流体貯蔵部内の前記流体は、前記眼の流体と平衡化される場合、１．３３よりも大きいまたは等しい屈折率を有する、項目８８に記載の眼内レンズ。
（項目９９）
前記略平面部材または前記平凸部材のうちの１つまたは複数のものは、ポリマー材料を含む、項目８８に記載の眼内レンズ。
（項目１００）
前記ポリマー材料は、ＰＭＭＡコポリマーを含む、項目９９に記載の眼内レンズ。
（項目１０１）
前記ポリマー材料は、透水性である、項目９９に記載の眼内レンズ。
（項目１０２）
前記ポリマー材料は、親水性である、項目９９に記載の眼内レンズ。
（項目１０３）
前記ポリマー材料は、前記眼内レンズがその中に設置されたとき、前記水晶体嚢に存在する流体と浸透平衡を達成するために、前記患者の眼の前記水晶体嚢に存在する水分を、前記流体光学要素の中または外に移動させることができる、項目１０１または１０２に記載の眼内レンズ。
（項目１０４）
前記ポリマー材料は、シリコーン油に不透過性である、項目９９に記載の眼内レンズ。
（項目１０５）
前記ポリマー材料は、４０ｋＤａ超の分子量を有する化合物に不透過性である、項目９９に記載の眼内レンズ。
（項目１０６）
前記流体光学要素および前記触覚構造体の前記流体貯蔵部内の前記流体は、高分子量デキストランを含む、項目８８に記載の眼内レンズ。
（項目１０７）
前記高分子量デキストランは、少なくとも４０ｋＤａの分子量を有する、項目１０６に記載の眼内レンズ。
（項目１０８）
前記触覚構造体は、前記患者の眼の前記水晶体嚢内の定位置に前記眼内レンズを配向するように構成される、項目８８に記載の眼内レンズ。
（項目１０９）
前記触覚構造体は、前方触覚構造体と、後方触覚構造体とを備え、前記前方触覚構造体および前記後方構造体は、それらの間に前記流体貯蔵部を画定するように一緒に連結される、項目８８に記載の眼内レンズ。
（項目１１０）
前記触覚構造体は、前記光学構造体の前記周辺領域に連結される環状構造を備える、項目８８に記載の眼内レンズ。
（項目１１１）
前記触覚構造体は、前記光学構造体の前記周辺部分に連結され、それにわたって分布する複数のタブ構造を備える、項目１１０に記載の眼内レンズ。
（項目１１２）
前記周辺部分は、複数の開口部を備え、前記触覚構造体が、前記複数の開口部を通して前記周辺部分に連結される、項目８８に記載の眼内レンズ。
（項目１１３）
前記複数の開口部は、前記眼内レンズの前記光学軸に平行に配向される、項目１１２に記載の眼内レンズ。
（項目１１４）
前記複数の開口部は、前記眼内レンズの前記光学軸を横断して配向される、項目１１２に記載の眼内レンズ。
（項目１１５）
前記触覚構造体は、前記触覚構造体を前記周辺部分に連結するために、前記複数の開口部を通して設置するための１つまたは複数の支柱を備える、項目１１２に記載の眼内レンズ。
（項目１１６）
前記眼内レンズは、断面を減少させた送達構成に折り畳まれるのに十分に可撓である、項目８８に記載の眼内レンズ。
（項目１１７）
前記眼内レンズの前記断面を減少させた送達構成は、前記レンズの光学軸に垂直な送達軸の周囲に前記眼内レンズを折り畳む、または巻くことによって達成される、項目１１６に記載の眼内レンズ。
（項目１１８）
前記眼内レンズの前記断面を減少させた送達構成は、送達管または開口部を通して前記眼内レンズを前進させることによって達成される、項目１１６に記載の眼内レンズ。
（項目１１９）
前記略平面部材は、前記平凸部材の後方である、項目８８に記載の眼内レンズ。
（項目１２０）
移植可能な眼内レンズであって、前記移植可能な眼内レンズは、
流体チャンバを有する光学構造体と、
前記流体チャンバ内の材料であって、前記材料は、完全に水和されていない状態を有する、材料と
を備え、前記光学構造体の少なくとも一部分は、眼に設置されたときに前記材料を完全に水和し、前記流体チャンバを拡張するために、前記流体チャンバに水を提供し、前記流体チャンバからの前記材料の漏出を阻止するように構成される、移植可能な眼内レンズ。
（項目１２１）
患者の眼の水晶体嚢内に人工レンズを移植する方法であって、前記方法は、
完全に水和されていない構成を備える眼内レンズを前記眼の切開を通して前進させることを含み、
前記眼内レンズを完全に水和するために前記光学構造体の少なくとも一部分を通して前記水晶体嚢からの水分を通過させる、方法。
（項目１２２）
前記眼内レンズの光学構造体の流体チャンバ内の材料は、前記光学構造体の少なくとも一部分からの漏出を阻止されるが、前記水晶体嚢からの水分が、前記材料を完全に水和するために通過する、項目１２１に記載の方法。
（項目１２３）
眼内レンズであって、前記眼内レンズは、
屈折力を有する光学構造体であって、前記光学構造体は、撓み可能部材、剛性部材、ならびに前記剛性部材および前記撓み可能部材により少なくとも部分的に画定されるチャンバを備える、光学構造体と、
触覚構造体であって、前記触覚構造体は、眼の嚢と係合するための外側構造、および前記触覚構造体が前記剛性部材を内向きに付勢するとき、前記撓み可能部材の曲率を増加させるように、前記撓み可能部材に連結される内側構造を有する、触覚構造体と
を備える、眼内レンズ。
【００７９】
（参照による組み込み）
本明細書に記述される全ての刊行物、特許、および特許出願は、各個々の刊行物、特許、または特許出願が参照により組み込まれるように具体的かつ個々に示されるかのように同程度に参照により本明細書に組み込まれる。
【図面の簡単な説明】
【００８０】
本開示の新規特徴は、具体的に添付の特許請求の範囲に記述される。本開示の特徴および利点のより深い理解は、本開示の原理が利用される図示的な実施例を記述する以下の詳細な説明、および添付の図面を参照することにより得られるだろう。
【図１】図１は、多くの実施形態による、調節式眼内レンズシステムを図示する。
【図２】図２は、多くの実施形態による、レンズ支持構造体およびレンズの側面図を図示する。
【図３】図３は、多くの実施形態による、ねじを使用したレンズ接触面を組み込むレンズ支持構造体の断面図を図示する。
【図４】図４は、多くの実施形態による、締まり嵌めを使用した接続されたレンズ（ｌｅｎｓ  ｉｎｔｅｒｆａｃｅｄ）を組み込むレンズ支持構造体の断面図を図示する。
【図５】図５は、多くの実施形態による、支持構造体の半分および触覚構造体がＡＩＯＬの上半分および下半分に含まれ、全てが同じ材料から加工されたＡＩＯＬを図示する。
【図６】図６は、多くの実施形態による、触覚および支持構造体が一体式であり、環状体様構造として構成されるＡＩＯＬを図示する。
【図７】図７は、多くの実施形態による、送達断面の減少に役立つ特徴を組み込む図６のＡＩＯＬの変形を図示する。
【図８】図８は、多くの実施形態による、ＡＩＯＬの送達後に硬化することができる、流体で充填された弾性支持構造体を備えるＡＩＯＬを図示する。
【図９】図９Ａ、９Ｂ、および９Ｃは、多くの実施形態による、代替折り畳み式レンズ支持構造体を示す。
【図１０】図１０から１４Ｂは、多くの実施形態による、ＡＩＯＬは、取り付け区域が嚢の半環状領域を封止するように、本来の嚢内に挿入され、接触し、半環状領域とＡＩＯＬの内部との間の流体移動がＡＩＯＬの調節変化をもたらす代替ＡＩＯＬ構造を図示する。図１０は、多くの実施形態による、流体チャンバが１つの光学要素を組み込む水晶体嚢の赤道および後方領域を封止することにより形成される代替触覚構造体を有するＡＩＯＬを示す。
【図１１】図１０から１４Ｂは、多くの実施形態による、ＡＩＯＬは、取り付け区域が嚢の半環状領域を封止するように、本来の嚢内に挿入され、接触し、半環状領域とＡＩＯＬの内部との間の流体移動がＡＩＯＬの調節変化をもたらす代替ＡＩＯＬ構造を図示する。図１１は、多くの実施形態による、流体チャンバが２つの光学要素を組み込む水晶体嚢の赤道および後方領域を封止することにより形成される代替触覚構造体を有するＡＩＯＬを示す。
【図１２】図１０から１４Ｂは、多くの実施形態による、ＡＩＯＬは、取り付け区域が嚢の半環状領域を封止するように、本来の嚢内に挿入され、接触し、半環状領域とＡＩＯＬの内部との間の流体移動がＡＩＯＬの調節変化をもたらす代替ＡＩＯＬ構造を図示する。図１２は、多くの実施形態による、流体チャンバが２つの光学要素を組み込む水晶体嚢の赤道および後方領域を封止する薄膜により形成される代替触覚構造体を有するＡＩＯＬを示す。
【図１３】図１０から１４Ｂは、多くの実施形態による、ＡＩＯＬは、取り付け区域が嚢の半環状領域を封止するように、本来の嚢内に挿入され、接触し、半環状領域とＡＩＯＬの内部との間の流体移動がＡＩＯＬの調節変化をもたらす代替ＡＩＯＬ構造を図示する。図１３は、多くの実施形態による、流体チャンバが、薄膜により、および１つの光学要素を組み込む水晶体嚢の赤道および後方領域を封止することにより形成される代替触覚構造を有するＡＩＯＬを示す。
【図１４】図１０から１４Ｂは、多くの実施形態による、ＡＩＯＬは、取り付け区域が嚢の半環状領域を封止するように、本来の嚢内に挿入され、接触し、半環状領域とＡＩＯＬの内部との間の流体移動がＡＩＯＬの調節変化をもたらす代替ＡＩＯＬ構造を図示する。図１４Ａは、ＡＩＯＬの移植後の代替え実施形態を図示する。図１４Ｂは、多くの実施形態による、水晶体嚢が設置されたデバイスに一致した、手術後の設置されたＡＩＯＬを図示する。
【図１５】図１５は、多くの実施形態による、前面および後面を備える光学構造体を示す。
【図１６】図１６Ａは、結合前の光学構造体に接合されたレンズ支持構造体を図示する。図１６Ｂは、多くの実施形態による、外周に沿って封止手段を提供する一緒に結合された点を有する最終ＡＩＯＬを表す。
【図１７】図１７は、多くの実施形態による、図１６ＢのＡＩＯＬに代替後方不透明化セルダムおよび後方嚢切開支持体を追加したものを表す。
【図１８】図１８は、多くの実施形態による、代替ＡＩＯＬを示す。
【図１９】図１９は、多くの実施形態による、代替光学構造体を示す。
【図２０】図２０は、図１９に示される光学アセンブリを組み込むＡＩＯＬの上面断面図である。
【図２１】図２１Ａは、図２０のＡＩＯＬの側方断面図である。図２１Ｂは、多くの実施形態による、眼の嚢構造により発生する力に関連する半径方向および圧力の負荷にある図２０−２２の触覚構造体のモデル化図である。
【図２２】図２２は、多くの実施形態による、図１９−２１に示される要素から構成される最終ＡＩＯＬアセンブリの図である。
【図２３】図２３Ａおよび２３Ｂは、多くの実施形態による、代替ＡＩＯＬ実施形態および製造方法を図示する。
【図２４】図２４は、多くの実施形態による、代替え触覚構造体および支持構造体を有する代替低プロファイルＡＩＯＬを示す。
【図２５Ａ】図２５Ａは、多くの実施形態による、図２４に類似するＡＩＯＬの調節可能性のモデルである。
【図２５Ｂ】図２５Ｂおよび２５Ｃは、図２５ＡのＡＩＯＬの断面斜視図を示す。
【図２５Ｃ】図２５Ｂおよび２５Ｃは、図２５ＡのＡＩＯＬの断面斜視図を示す。
【図２６】図２６は、変形された図２５Ａに類似するＡＩＯＬのモデルを示す。
【図２７】図２７は、図２４のＡＩＯＬの調節可能性のモデルを示す。
【図２８】図２８Ａは、多くの実施形態による、別のＡＩＯＬの断面斜視図を示す。図２８Ｂは、図２８ＡのＡＩＯＬの調節可能性のモデルを示す。
【図２９】図２９は、多くの実施形態による、また別のＡＩＯＬの断面斜視図を示す。
【図３０】図３０は、図２９のＡＩＯＬに関連するレンズを示す。
【図３１】図３１は、多くの実施形態による、別のＡＩＯＬの調節可能性のモデルを示す。
【図３２】図３２は、多くの実施形態による、また別のＡＩＯＬの調節可能性のモデルを示す。
【図３３】図３３は、多くの実施形態による、ＡＩＯＬの調節可能性の概略図を示す。
【図３４】図３４Ａは、多くの実施形態による、ＡＩＯＬを示す。図３４Ｂは、図３４ＢにあるようなＡＩＯＬチャンバの内圧を示す。
【図３５】図３５Ａは、多くの実施形態による、ＡＩＯＬを示す。図３５Ｂは、図３５ＡにあるようなＡＩＯＬチャンバの内圧を示す。
【図３６】図３６は、多くの実施形態による、ＡＩＯＬを製造する方法を示す。
【図３７】図３７は、屈折力を提供するように変形された光学構造体を示す。
【図３８】図３８Ａは、多くの実施形態による、ＡＩＯＬの撓み可能部材が触覚部の並進および回転移動に応じて撓むように構成される、触覚部の最も前方部分に前方のＡＩＯＬの最も前方部分を有するＡＩＯＬを示す。図３８Ｂは、図３８ＡにあるようなＡＩＯＬの負荷に応じた内部チャンバ圧を示す。
【発明を実施するための形態】
【００８１】
（詳細な説明）
本明細書に記載されるＡＩＯＬは、改善された視力を提供するために使用され、白内障手術および眼内レンズ挿入機等、多くの既知の外科手技および装置のうちの１つまたは複数のものと組み合わせることができる。ＡＩＯＬの光学構造体は、眼の生体計測に基づく商業的に利用可能なＩＯＬ度数計算式とともに使用するのに非常に適しており、改善された視力を提供するために使用され得る。多くの実施形態では、医師は、本明細書に記載されるＡＩＯＬが容易に使用することができるように、従来の非調節式ＩＯＬに類似する様態で、本明細書に記載されるＡＩＯＬを挿入することができる。
【００８２】
本明細書に記載されるＡＩＯＬの構造は、改善された調節式ＩＯＬを提供するために、多くの方法のうちの１つまたは複数のものと組み合わせることができる。多くの実施形態では、ＡＩＯＬは、柔軟な材料から構成される光学構造体を備え、光学構造体は、例えば、本明細書に記載されるように、眼の水晶体嚢の自然な力を用いて屈折力を提供するために、触覚部に連結される。多くの実施形態では、撓み可能部材は、撓み可能部材の外側部分に対する半径方向内向きの力が撓み可能部材の内側部分の撓みをもたらすように、十分な半径方向強度を有する。撓みは、例えば、撓み可能部材の一次可逆的座屈を有し得る。多くの実施形態では、撓み可能部材は、内側部分が外表面に沿って凸状曲率を有し、外側部分が外表面に沿って反対の凸状曲率を有するように屈曲する。凸状内側部分はディスク形状を有し、外側凹状部分はディスク形状に隣接して環状形状を有し得る。凸状ディスク形状および凹状環状形状の配置は、例えば、撓み可能部材の直径にわたって２つの変曲点を提供することができる。
【００８３】
半径方向に延在する撓み可能部材は、例えば、弾性係数、厚さ、または直径のうちの１つまたは複数のものにより少なくとも内側部分を撓ませるために、多くの方法のうちの１つまたは複数のもので、半径方向強度を提供するように構成されることができる。
【００８４】
撓み可能部材は、水晶体嚢と係合する触覚部によって半径方向内向きに付勢されるときに撓むように、多くの方法のうちの１つまたは複数のもので、触覚部に連結されることができる。多くの実施形態では、撓み可能部材は、撓み可能部材の外側部分が半径方向内向きに付勢されるか、または回転する、およびこれらの組み合わせであるとき、少なくとも内側部分の形状の変更を誘導するように、十分な半径方向強度を有する。多くの実施形態では、撓み可能部材は、剛性部材に対する触覚部の回転が撓み可能部材の外側部分の半径方向内向きの移動および回転撓みを誘導するように、水晶体嚢に連結される。代替として、または組み合わせて、触覚部は、半径方向の力により撓み可能部材を内向きに付勢し、外側部分の半径方向強度により撓み可能部材の内側部分を撓ませるために、半径方向に、かつ剛性部材に関して摺動するように配置されることができる。撓み可能部材は、例えば、外側部分の凹状撓みおよび内側部分の凸状撓みを助長するために、凹状外側部分または薄い環状領域等、撓みを助長するために外側部分に１つまたは複数の構造を備え得る。
【００８５】
本開示は、改善された調節式眼内レンズ（ＡＩＯＬ）に関連するデバイス、方法、およびシステムに関する。いくつかの実施形態は、レンズの光学軸と同心のレンズ支持構造体等により、それらの光学軸に沿って離間される２つの変形可能なレンズから構成される中央光学構造体を備えるであろう。レンズおよび任意にレンズ支持構造体によって境界された容積は、生理食塩水等のイオン溶液、またはデキストランもしくはシリコーン油等の非イオン溶液で充填され得る。同時に、光学構造体は、１つまたは複数の触覚構造体によって境界されてもよく、触覚構造体は、流体で充填されるか、または別の実施形態では、レンズの光学軸に垂直な平面に配置されるかのいずれかである。触覚構造体は、光学構造体によって境界された流体と流体連通することができる。触覚構造体と流体で充填された光学構造体との間の流体の移動は、１つまたは両方のレンズを変形することにより、レンズの調節力を変更することができる。代替として、または組み合わせて、触覚構造体は、変形をもたらし、調節力を変更するために、流体で充填された光学構造体のレンズに機械的力を直接加えてもよい。改善された調節式眼内レンズシステムは、本明細書に記載される特徴のいずれかの組み合わせをさらに含み得る。
【００８６】
本明細書に記載されるレンズおよび支持構造体のいくつかは、典型的には、水和されたときに光学的に透明であり、水和時に１０％超膨張し、水和されたときに１００％超のゆがみレベルを調節する親水性材料から加工されるであろう。材料は、小さいディスクおよびロッドとして購入することができる。例えば、親水性材料は、Ｃｏｎｔａｍａｃ  Ｌｔｄ．（ＵＫ）により製造されるＣＩ１８、ＣＩ２１、またはＣＩ２６等のヒドロキシエチルメタクリレート（ＨＥＭＡ）とメチルメタクリレート（ＭＭＡ）のコポリマーを含み得る。これらの材料はまた、本明細書においてＰＭＭＡとも表され、本明細書で使用される、ＰＭＭＡは、ＰＭＭＡを含むポリマー、またはＰＭＭＡポリマー（以後、「ポリ（メチルメタクリレート）」）または例えば、ｐ（ＨＥＭＡ−ｃｏ−ＭＭＡ）等のＨＥＭＡとＰＭＭＡのコポリマーのうちの１つまたは複数のもの等、ＰＭＭＡを含むコポリマーを指す。本明細書で使用される、ｐ（ＨＥＭＡ−コ−ＭＭＡ）は、ＨＥＭＡとＰＭＭＡのコポリマーを指し、ｐ（ＨＥＭＡ−ＭＭＡ）とも称され得る。
【００８７】
コポリマーは、例えば、ブロックコポリマー（ＰＰＰＰ−ＨＨＨＨ）、交互コポリマー（ＰＨＰＨＰＨＰＨ）、統計もしくはランダムコポリマー（ＰＨＰＰＨＰＨＨ）、星型コポリマー、ブラシコポリマー、またはグラフトコポリマーのうちの１つまたは複数のものを含み得、ここで、例えば、「Ｐ」は「ＭＭＡ」を示し、「Ｈ」は「ＨＥＭＡ」を示す。
【００８８】
本明細書で使用される、外表面の正の曲率は、凸状曲率を包含し、外表面の負の曲率は、凹状曲率を包含する。
【００８９】
本明細書で使用されるように、同様の参照番号は同様の構造を指す。多くの実施形態では、本明細書に記載されるように、参照番号は、３桁または４桁から成り、最初の１桁または２桁は図の番号を指し、最後の２桁は異なる数字を有する図の中の同様の構造を指す。例えば、参照番号２５０３および３３０３は、それぞれ、図２５および３３の類似する撓み可能部材を指す。当業者は、１つの図面の構造を説明する文章が本明細書に提供される任意の他の図の類似する構造に適用されることを認識するだろう。
【００９０】
多くの実施形態では、撓み可能部材は、内側光学部分内の屈折力を集中させ、増幅するように、内側光学部分および外側延長部分を備える。内側光学部分は、増加した屈折力を提供する凸状に湾曲した外表面を含むように剛性部材から離れて移動することができる。加えて、外側部分は、反対の曲率を含むように剛性部材に向かって撓ませられ、剛性部材に向かって移動し得る。反対に湾曲した外側部分は、内側部分内に屈折力変化を集中させるために、光学補正部分の直径を減少させることができる。内側部分の屈折力は、剛性部材からの内側部分の中央の増加した距離および外側延長部分から剛性部材までの減少した距離に関係する。この増加した内側分離距離および減少した外側分離距離の併用作用は、屈折力の増加に併用作用を有する。また、レンズの屈折力が、およそレンズの直径の平方として減少することができるとき、反対に湾曲した外側部分により提供される内側部分の減少した直径は、レンズの屈折力をさらに増加させることができる。
【００９１】
いくつかの実施形態では、眼内レンズ／レンズシステム、および／またはレンズチャンバもしくは流体光学要素を画定する他の構成要素は、システムの屈折力を増加させるために、水よりも高い屈折率を有する水系の透明な流体で充填される。レンズチャンバ液体の高屈折率は、溶質の存在によりもたらされ得る。そのような溶質は、多くの場合、構成要素を画定するチャンバを横断することができない大きい分子を含む。そのような大きい分子の例としては、＜４０ｋＤ、＜７０ｋＤ、＜５００ｋＤ、および＜１０００ｋＤの例示的な分子量を有する、デキストランが挙げられる。そのような溶質のさらなる例としては、糖分子が挙げられる。溶質および水は、浸透圧を有する希釈溶液から成ってもよい。そのような浸透圧は、浸透圧平衡容積を達成するためにチャンバの中または外に水を移動させてもよい。そのような容積は、患者が所望する強度に、システムにおいて適切な屈折力を生じさせるのに適切であることができる。
【００９２】
本明細書に記載される調節式ＩＯＬのそれぞれは、前方側面および後方側面を備える。レンズの節点は、好ましくは、レンズの光学構造体の後面および前面からほぼ等距離の光学軸に沿って位置する中間点のレンズの光学軸に沿って位置する。多くの実施形態では、レンズの節点は、レンズの前方後方配向を画定するために、周辺触覚レバー構造間に延在する平面から離れて位置する。レンズの前方から後方までの配向は、本明細書に開示される教示に基づき、当業者が逆にすることができる。
【００９３】
ＡＩＯＬの光学構造体の柔軟な材料は、多くの方法のうちの１つまたは複数のもので成形されることができ、例えば、機械加工構成要素、または成形構成要素、およびこれらの組み合わせを含み得る。
【００９４】
改善された調節式眼内レンズは、減少した送達断面を有することができる。減少した送達断面は、送達構成から動作構成に並進することができる光学構造体によって容易にされ得る。光学構造体は、送達構成において光学軸に沿って小さな寸法および動作構成において光学軸に沿って大きな寸法を有することができる。また、レンズ支持構造体は、動作構成の２つのレンズの外縁間の距離を維持し、いずれかの構成において、触覚構造体と光学構造体によって境界された流体容積との間を流体が通過できるように構成されることができる。
【００９５】
送達断面は、光学軸に垂直な送達軸の周囲にＡＩＯＬを折り畳むまたは巻くことによって達成されてもよい。送達断面は、送達軸に垂直な平面において測定された送達構成において最大寸法として測定され得る。本明細書に開示されるＡＩＯＬに達成可能な送達構成は、４．５ｍｍ未満、好ましくは２．５ｍｍ未満であってもよい。代替実施形態では、送達断面は、管または送達開口部にＡＩＯＬを強制的に通すことにより達成されることができる。そのような管は、ＡＩＯＬが管の下に進むにつれて圧縮され得るように断面が円錐であってもよい。遠位端は、眼の切開口と接触するように定寸され得る。送達は、シリンジまたはプランジャによって容易にされ得る。
【００９６】
眼内レンズシステムは、ＰＭＭＡが、例えば、ポリメチルメタクリレート（ＰＭＭＡ）、ポリヒドロキシエチルメタクリレート（ＰＨＥＭＡ）、ヒドロキシエチルメタクリレート（ＨＥＭＡ）、またはメチルメタクリレート（ＭＭＡ）のうちの１つまたは複数のものを含む化合物を表す、少なくとも２つの親水性ＰＭＭＡレンズから構成され得る。レンズシステムは、次の材料、とりわけ、特に、ＮｉＴｉ、ポリウレタン、親水性ＰＭＭＡ、光活性化ポリマー、ＰＭＭＡの前駆体、エチレングリコールジメチルアクリレート（ＥＧＤＭＡ）、シリコーン、シリコーンコポリマーのうちのいずれかまたはこれらの任意の組み合わせから構成される他の要素を含み得る。
【００９７】
略平面部材または平凸部材のうちの１つまたは複数のものは、ポリマー材料を含み得る。ポリマー材料は、例えば、Ｃｏｎｔａｍａｃ  Ｌｔｄ．（ＵＫ）またはＶｉｓｔａ  Ｏｐｔｉｃｓ  Ｌｔｄ．（ＵＫ）から入手可能な材料を含み得る。例えば、ＰＭＭＡコポリマーは、Ｄｅｆｉｎｉｔｉｖｅ  ５０材料、Ｄｅｆｉｎｉｔｉｖｅ  ６５材料、Ｄｅｆｉｎｉｔｉｖｅ  ７４材料、Ｆｉｌｃｏｎ  Ｖ３材料、Ｆｉｌｃｏｎ  Ｖ４材料、Ｆｉｌｃｏｎ  Ｖ５材料、Ｏｐｔｉｍｕｍ  Ｃｌａｓｓｉｃ材料、Ｏｐｔｉｍｕｍ  Ｃｏｍｆｏｒｔ材料、Ｏｐｔｉｍｕｍ  Ｅｘｔｒａ材料、Ｏｐｔｉｍｕｍ  Ｅｘｔｒａ  １６材料、Ｏｐｔｉｍｕｍ  Ｅｘｔｒａ  １８．２５ｍｍ材料、Ｏｐｔｉｍｕｍ  Ｅｘｔｒａ  １９ｍｍ材料、Ｏｐｔｉｍｕｍ  Ｅｘｔｒａ  ２１ｍｍ材料、Ｏｐｔｉｍｕｍ  Ｅｘｔｒｅｍｅ材料、Ｆ２材料、Ｆ２  Ｌｏｗ材料、Ｆ２  Ｍｉｄ材料、Ｆ２  Ｈｉｇｈ材料、Ｆｏｃｏｎ  ＩＩＩ  ２材料、Ｆｏｃｏｎ  ＩＩＩ  ３材料、Ｆｏｃｏｎ  ＩＩＩ  ４材料、Ｈｙｂｒｉｄ  ＦＳ材料、Ｃｏｎｔａｆｌｅｘ  ＧＭ  Ａｄｖａｎｃｅ材料、Ｃｏｎｔａｆｌｅｘ  ＧＭ  Ａｄｖａｎｃｅ  ４９％材料、Ｃｏｎｔａｆｌｅｘ  ＧＭ  Ａｄｖａｎｃｅ  ５８％材料、Ｆｉｌｃｏｎ  Ｉ  ２材料、Ｆｉｌｃｏｎ  ＩＩ  ２材料、Ｃｏｎｔａｆｌｅｘ  ＧＭ３  ４９％材料、Ｃｏｎｔａｆｌｅｘ  ＧＭ３  ５８％材料、Ｃｏｎｔａｆｌｅｘ材料、Ｃｏｎｔａｆｌｅｘ  ５８％材料、Ｃｏｎｔａｆｌｅｘ  ６７％材料、Ｃｏｎｔａｆｌｅｘ  ７５％材料、Ｐｏｌｙｍａｃｏｎ  ３８％材料、Ｈｅｆｉｌｃｏｎ  ４５％材料、Ｍｅｔｈａｆｉｌｃｏｎ  ５５％材料、Ｆｉｌｃｏｎ  Ｉ１材料、Ｆｉｌｃｏｎ  ＩＶ  ２材料、ＨＩ５６材料、ＰＭＭＡ材料、ＣＩ２６材料、ＣＩ２６Ｙ材料、ＣＩ１８材料、およびＣｏｎｔａｍａｃ  Ｌｔｄ．（ＵＫ）から入手可能な他の変形物、ならびにＶｉｓｔａｆｌｅｘ  ＧＬ  ５９材料、ＨＥＭＡ／ＧＭＡ材料、Ａｄｖａｎｔａｇｅ＋４９材料、Ａｄｖａｎｔａｇｅ＋５９材料、Ｆｉｌｃｏｎ  Ｉ  １材料、Ｆｉｌｃｏｎ  Ｉ２材料、ＶＳＯ  ｎＶＰ材料、ｎＶＰ／ＭＭＡ材料、ＶＳＯ  ６０材料、ＶＳＯ  ６８材料、ＶＳＯ  ７５材料、Ｆｉｌｃｏｎ  ＩＩ  １材料、Ｆｉｌｃｏｎ  ＩＩ  ２材料、ＶＳＯ  ｐＨＥＭＡ材料、ｐＨＥＭＡ材料、ＨＥＭＡ材料、ＶＳＯ  ３８材料、ＶＳＯ  ４２材料、ＶＳＯ  ５０材料、Ｖｉｓｔａｆｌｅｘ  ６７  Ｃｌｅａｒ  ＵＶ材料、ポリシロキシ−アクリレート材料、ＡｄｄＶＡＬＵＥシリコーンアクリレート材料、ＡｄｄＶＡＬＵＥ  １８材料、ＡｄｄＶＡＬＵＥ  ３５材料、ポリーフルオローシリコン−アクリレート材料、ＡｄｄＶＡＬＵＥ蛍光シリコーンアクリレート材料、ＡｄｄＶＡＬＵＥ  ２５材料、ＡｄｄＶＡＬＵＥ  ５０材料、ＡｄｄＶＡＬＵＥ  ７５材料、ＡｄｄＶＡＬＵＥ  １００材料、強膜硬質ガス透過性材料、疎水性眼内レンズ材料、ＶＯＰｈｏｂｉｃ  Ｃｌｅａｒ  Ｔｇ  １６材料、ＶＯＰｈｏｂｉｃ  Ｙｅｌｌｏｗ  Ｔｇ  １６材料、親水性眼内レンズ材料、ＨＥＭＡ−ＭＭＡコポリマー材料、ＩＯＳｏｆｔ材料、ＩＯＳｏｆｔ透明材料、ＩＯＳｏｆｔ黄色材料、ＰＭＭＡ材料、Ｖｉｓｔａｃｒｙｌ  ＣＱ  ＵＶ材料、Ｖｉｓｔａｃｒｙｌ  ＸＬ青色材料、Ｖｉｓｔａｃｒｙｌ  ＣＱ材料、およびＶｉｓｔａ  Ｏｐｔｉｃｓ  Ｌｔｄ．（ＵＫ）から入手可能な他の変形物を含むリストから選択され得る。多くの場合、ポリマー材料は、透水性および親水性のうちの１つまたは複数のものであってもよい。患者の眼の水晶体嚢に存在する水分は、眼内レンズがその中に設置されたとき、水晶体嚢に存在する流体と浸透平衡を達成するように、ポリマー材料を通して流体光学要素の中または外に移動してもよい。ポリマー材料は、シリコーン油に不透過性であってもよい。ポリマー材料は、４０ｋＤａ超の分子量を有する化合物に不透過性であってもよい。
【００９８】
いくつかの実施形態では、ＡＩＯＬは、接触面区域が嚢の半環状領域を形成する封止部を作り出すように本来の嚢内に挿入され、接触し、この場合、半環状領域とＡＩＯＬの内部との間の流体移動は、ＡＩＯＬの調節の変更をもたらす。そのような実施形態では、生理食塩水等の流体は、半環状領域内に注入され得る。
【００９９】
いくつかの実施形態では、光学構造体は、眼の嚢内に導入された後、送達構成から動作構成に変更される材料から構成される。そのような材料の１つは、導入後に光活性化により硬化される、送達構成では液体である光活性ポリマーを含み得る。別のそのような材料は、送達構成では光学軸に垂直な平面で薄い寸法を有し、導入後は誘導性カップリングを介して加熱することにより動作構成への変更が開始されるＮｉＴｉ合金等の記憶金属を含み得る。他の実施形態では、ＮｉＴｉは、送達構成から動作構成に移るためのその超弾性特性に依存し得る。
【０１００】
いくつかの実施形態では、光学構造体は、送達構成よりも動作構成において機械的により安定しており、眼の嚢内に導入した後に、送達構成から動作構成に自然に変更される。このような構成では、光学構造体は、送達の直前、または製造時に促されて送達構成にされ得る。そのようなシステムの１つは、嚢内にデバイスを導入したときに、送達構成から飛び出す超弾性金属要素を含み得る。
【０１０１】
いくつかの実施形態では、レンズ支持構造体および１つのレンズは、単一構造として機械加工されるか、または成形され、第２のレンズは、結合手段によって支持構造体に固定される。多くの他の実施形態では、ＡＩＯＬは、２つの半分から構成され、それぞれは、一緒に結合されて、光学構造体を形成するレンズを組み込む。そのような実施形態は、触覚構造体を組み込んでもよい。また他の実施形態では、第２の機械加工動作が、結合された構造に対して実施され得る。代替結合手段は、レンズの外縁部にねじ山を付け、支持構造体の内表面にねじ山を付ける、ねじ山等の機械的接続を含み得る。代替実施形態では、接続は、単純な締まり嵌めであることができる。いくつかの実施形態では、固定は、別個の結合表面のうちの１つまたは両方を前駆体モノマーで処理することにより材料を結合し、次いで、構造体を組み立て、結合表面にわたって負荷を加え、一定期間の間アセンブリを加熱するステップを含む。そのようなプロセスは、両方の部品を含む材料間の架橋を容易にし得る。場合によっては、前駆体モノマーは、ポリマーの小さい粒子と混合され得る。結合剤はさらに、とりわけ、ウレタン、シリコーン、エポキシ、アクリルを含み得る。
【０１０２】
本開示のデバイスにおいて、レンズは、水およびイオン透過性材料から構成され得る。いくつかの実施形態では、ＡＩＯＬは、移植後に自動給水されてもよく、それにより送達断面を最小にする。
【０１０３】
代替実施形態では、ＡＩＯＬは、移植後に充填される。
【０１０４】
図１は、中央レンズ支持構造体１１、２つの触覚構造体１２、２つの撓み可能なレンズ１３（そのうちの１つのみが図１に示される）、および２つの圧縮バンド１４から構成される調節式眼内レンズ（ＡＩＯＬ）システムまたは眼内レンズ１０を図示する。触覚構造体１２は、最小負荷下で変形するように構成され、弾性材料から構成される薄壁構造を備え得る。ＡＩＯＬ１０の内部容積は、水晶体嚢の周囲の眼の流体と同等の浸透圧の生理食塩水等、透明な流体で充填されることができる。代替として、ＡＩＯＬ１０は、本明細書の別の箇所に記載される高屈折率の流体で充填され得る。レンズ１３は、流体が触覚部から支持構造体の内部容積内に移動するとき、レンズが撓ませられ、それによりそれらの調節力を変更するように支持構造体１１に接続される。
【０１０５】
２つのレンズ１３とともに図１のレンズ支持構造体１１の側面図が図２に図示される。レンズ１３は、同じ形状のものであっても、異なる形状を有してもよい。レンズ支持構造体１１に含まれる触覚構造体接触面特徴１５も図２に示される。触覚構造体１２の開口端は、触覚構造体接触面特徴１５にわたって嵌合し、圧縮バンド１４を使用して、レンズ支持構造体接触面特徴１５にさらに固定される。加えて、いくつかの実施形態では、シリコーン等の接着剤または封止剤が使用され得る。代替実施形態では、圧力嵌めが使用され得る。また他の実施形態では、触覚部１２は、触覚接触面上に成形され得る。一実施形態では、触覚部１２は、後に支持構造体１１に結合されるＰＭＭＡバーブ上に成形される。該結合は、本明細書において以下に記載されるように、接着剤によるか、またはバーブと支持構造体との間の架橋を容易にしてもよい。触覚構造体１２および触覚構造体を接続するための材料は、シリコーン、ＰＥＢＡＸ、ウレタン、ＰＭＭＡとシリコーンのコポリマー、または他の弾性材料のうちのいずれか、または任意の組み合わせを含み得る。レンズ１３の外縁間の距離は、支持構造体１１によって維持され得るが、レンズの中心は、支持構造体１１内の流体容積が増加すると撓むことができ、それにより構造体の調節力を変更する。いくつかの実施形態では、触覚構造体１２は、押出から加工され得る。
【０１０６】
図３は、２つのレンズのうちの１つである第１のレンズ３６が支持構造体３１内に含まれるか、またはそれと一体である、レンズ支持構造体３１を図示する。図３の実施形態において、第２のレンズであるレンズ３３は、ねじ山３７を介して支持構造体３１に接続されるように構成される。構造体３５は、外向きに延在して、レンズ本体を触覚部に連結する。
【０１０７】
図３に示されるものと類似する中央支持構造体の別の実施形態が図４に図示される。この実施形態では、第２のレンズ４３は、締まり嵌めを介して接続される。いくつかの実施形態では、締まり嵌めは、封止剤または接着剤の使用を通してさらに封止され得る。締まり嵌めは、構成要素を組み立て、再水和するために使用される手順によってさらに容易にされる。図４に示される支持構造体４１に実施されるそのような手順の１つは、次の通りである。すなわち、レンズ４６を備える支持構造体４１の底部が水和され、次いで、未水和状態のレンズ４３が支持構造体４１に含まれる溝に嵌合され、支持構造体４１ならびにレンズ４３および４６が完全に水和され、次いで、必要に応じて、封止剤または接着剤が適用される。締まり嵌めの使用は、結合剤の必要性および／またはその量を最小にすることができる。
【０１０８】
図５は、支持構造体５１および触覚構造体５２の半分がＡＩＯＬ５０の上および下半分に含まれ、それにより全体が同じ材料から加工される、ＡＩＯＬ５０の別の実施形態を図示する。２つの半分は、シーム５９で一緒に結合されて、完全な触覚および支持構造体５１を形成する。レンズ５３は、半構造体と一体であるか、または支持構造体５１に結合されるかのいずれかであってもよい。製造環境では、１つのレンズを整合し、構造体の残部を加工した後に結合することにより、２つのレンズの光学軸が正確に整合されることを確実にする利点を提供することができる。
【０１０９】
図１および２に示される実施形態では、触覚構造体１２は、レンズの光学軸に垂直な平面で広げられ、支持構造体１１から離れて折り畳まれ得るような様態で構成される。そのような構成は、流体で充填されたデバイスの送達断面の減少を容易にすることができる。図６および７に示される実施形態では、触覚構造体は、レンズ支持構造体と一体であり、かつレンズ支持構造体の外周の周囲に連続して取り付けられる。
【０１１０】
図６は、ＡＩＯＬ６０の実施形態を図示し、触覚構造体６２および支持構造体６１は、一体であり、環状様構造体として構成される。環状様構造体の内径は、支持構造体６１を含む。流体は、開口部６７を通して触覚構造体６２と支持構造体６１の内部容積との間を流れることが可能にされてもよい。ＡＩＯＬ６０は、シーム５９で２つの半分を結合することによって加工されることができる。レンズ６３は、半分と一体であってもよく、半分に別個に結合される。
【０１１１】
図６の実施形態の変形が図７に図示される。ＡＩＯＬ７０の実施形態は、送達断面を減少させるのに役立つ特徴を組み込む。支持構造体の半分は、それぞれＡＩＯＬ７０の上および下半分に含まれてもよく、それぞれ城郭状リング（ｃａｓｔｅｌｌａｔｅｄ  ｒｉｎｇ）を形成する空間によって分離される一連の構造体７１から構成され得る。城郭状構造体は、シーム７９で結合される前の組み立て時にかみ合わせることができる。ばねリング７９は、溝に嵌合することができ、光学軸に沿った変位に対して構造体の上および下半分を係止することができる。図７に示されるように、レンズ７３は、ＡＩＯＬ７０を含む半構造体と一体であることができる。他の実施形態では、レンズ７３は、分離され、別の時に結合され得る。そのような実施形態では、支持構造体は、城郭状要素がより大きい曲率半径で折り重なることができるため、送達中より大きく変形することができる。ＡＩＯＬ７０は、特徴７８も含み得、これは、結合プロセス中にシーム７９にわたって直接圧力を適用する手段を可能にすることができる。シームを含む表面は、結合剤の流れを指向し、空隙を作り出す可能性を最小にするために、面取りまたは平縁をさらに組み込む場合がある。
【０１１２】
図８は、ＡＩＯＬの送達後に硬化することができる流体で充填された弾性支持構造体８１を備えるＡＩＯＬ８０の実施形態を表す。そのような流体は、光学的に硬化されてもよく、例えば、ＵＶ硬化シリコーンもしくはエポキシ、コラーゲン溶液等のｐＨ硬化流体、または熱硬化流体を含み得、この場合、材料は、マグネタイト粒子等の誘導的に加熱されることが可能な粒子の懸濁液を含む。チャネル８７は、流体が触覚部と支持構造体の中央容積との間を通過するのを可能にすることができる。
【０１１３】
代替実施形態では、ＡＩＯＬ８０の支持構造体８１は、図９Ａに示されるＡＩＯＬ８０の拡張構成に示される支持構造体９１で、または図９Ｂおよび９Ｃに示されるチャネル構造８７を備える支持構造体９８により置き換えられてもよく、これは、組み立て前に図９Ｂに示される平坦化構成９９を備えるように平坦化され、後に、図９Ｃに示されるように、送達後に動作構成を取ることができる誘導性カップリングにより加熱される記憶金属から構成され得る。そのような構成は、減少した断面を提供してもよい。
【０１１４】
本明細書に記載される実施形態は、レンズの適切な光学整合を確実にするために、組み立ての順序、ならびに長期固化、熱、圧力、および／または光学開始結合材料の使用も可能にする。
【０１１５】
ＨＥＭＡとＭＭＡのコポリマーの結合は、結合表面をＥＧＤＭＡまたはトリエチレングリコールジメチルアクリレート（ＴＥＧＤＭＡ）で処理し、次いで、結合した表面を圧力および温度に曝すことにより容易にされてもよい。処理は、蒸気処理、湿潤、湿潤して蒸発させること、ＥＧＤＭＡまたはＴＥＧＤＭＡおよびヒドロキシエチルメタクリレートとメチルメタクリレートのコポリマーの粒子の混合物を適用することを含んでもよいが、これらに限定されない。そのような手順の１つにおいて、４０ミクロンのＨＥＭＡとＭＭＡのコポリマーのビーズがＥＧＤＭＡと混合され、結合剤として使用され得る。そのような結合スキームは、シームがない、またはシームが最低限であり、結合接続の機械的性質が構造体と同じ機械的性質を有するという点で利点を提供することができる。
【０１１６】
送達手順は変動してもよく、デバイスの実施形態に依存するであろう。典型的には、製造時に作動液で予め充填され、すぐに使用できるＡＩＯＬの一送達手順において、デバイスは、患者の要求に一致する大きさおよび基準調節強度に選択されることができる。眼は、非調節レンズの滴下注入に典型的な標準的な手順に従い準備されるが、いくつかの実施形態では、切開が大きい場合がある例外の可能性がある。ＡＩＯＬは、注入機に装填され、次いで、準備された眼の嚢内に注入される。次いで、ＡＩＯＬは、位置が調節されることができる。代替送達手順では、レンズは、手術時に充填される場合がある。そのような手順では、充填は、ＡＩＯＬを定寸するステップと、ＡＩＯＬの基準強度を設定するステップとを含み得る。そのような手順を調節するために、デバイスは、移植前に結合により封止可能であることができる充填ポートまたは弾性材料等の自己封止材料を含むポートを組み込んでもよい。
【０１１７】
またさらなる代替えでは、ＡＩＯＬは、移植後に充填され、それにより送達断面を最小にする。そのような実施形態では、移植後、デバイスは、前述のように、充填ポートを介して充填され得る。代替え実施形態では、デバイスは、最初は完全に水和されない状態にあり、眼の自然に利用可能な流体による自己供給等により、移植後に完全に水和され得る。例えば、ＡＩＯＬは、ＡＩＯＬ内の流体要素等、完全に水和されない状態の材料を含み得、これは、眼からの流体により完全に水和されることができ、水和プロセス中のＡＩＯＬからの漏出が阻止される。そのような実施形態は、ＡＩＯＬに含まれる材料の透水性および小分子に依存し得る。そのような手順では、適切に定寸され、適切な作動液、典型的には、眼に自然に生じる流体に相当する浸透圧およびイオンバランスを有する生理食塩水溶液で充填されたデバイスは、超高分子量デキストランの溶液等の大きい分子の高張溶液に曝すことにより、移植ができるように準備される。この前処理は、移植前にＡＩＯＬの外に流体を引き出し、それによりその送達断面を減少させることができる。次いで、ＡＩＯＬは、眼の切開を通して移植されることができる。移植後、ＡＩＯＬは、眼から流体を除去し、その流体および光学平衡を回復することができる。いくつかの実施形態では、ＡＩＯＬの浸透圧は、製造時にＡＩＯＬを含む材料を通して拡散するにはあまりにも大きい分子を組み込むことによりさらに調節され得る。そのようなシステムでは、ＡＩＯＬの平衡充填圧は、調節されるか、または充填時に設定され得る。
【０１１８】
図１０は、流体チャンバが位置１００４および１００５で嚢の赤道領域１００２を封止することにより形成される、代替触覚構造体を有するＡＩＯＬを示す。赤道チャンバ１００２は、ＡＩＯＬの構造体の穴１００７により後方チャンバ１００６と連通することができる。毛様体の移動は、チャンバ１００２の流体をチャンバ１００６の中および外に通過させ、単一光学要素１００３を撓み、調節をもたらす。
【０１１９】
チャンバ１００２および１００６は、水性流体（ａｑｕｅｏｕｓ）のように自然に、または生理食塩水等の他の流体のいずれかで充填され得、接触位置１００４および１００５での漏出を阻止するために粘稠な凝集性流体が使用され得る。
【０１２０】
封止を改善するための様々な方法が、位置１００４および１００５で採用され得る。結合剤として糊が嚢に適用され得る、線維形成機構が誘導され得る、嚢をへこませることにより嚢に対する封止を増加させるために、鋭い突出部が接触点に提供され得る、嚢切開１００１の端部を捕捉するための手段を有する前方接触位置１００５が提供されることができる。
【０１２１】
撓みおよび変位、したがって、屈折力を増加させるために、光学領域の端部に沿って可動する手段を有する光学要素１００３が提供され得る。
【０１２２】
アセンブリは、結晶質に近い寸法の外部包囲体を有し得、したがって、嚢収縮の可能性を最小にする。
【０１２３】
従来の触覚部の不在による定寸の問題はあまりないかもしれないが、唯一関連性のある嚢寸法はその高さであり得る。
【０１２４】
システムは、房水の浸透圧の相違に無作用であり得る。
【０１２５】
漏出の可能性を減少させるために、切断されたときの寸法が調節幾何学構造にあり得る。
【０１２６】
図１１は、多くの実施形態による、水晶体嚢の赤道および後方領域を封止することによって流体チャンバを形成するように構成された触覚構造体を備える２つの光学要素レンズシステムを組み込む、代替ＡＩＯＬを示す。さらなる後方光学要素１１０１は、流体光学要素または流体チャンバ１１０２を画定し、光学的な理由のために提供され得る（例えば、流体チャンバ１１０２を確立し、改善された光学調節を提供する）。
【０１２７】
図１２は、多くの実施形態による、水晶体嚢の赤道および後方領域を封止することによって流体チャンバを形成するように構成された触覚構造体を備える２つの光学要素を組み込み、薄膜１２０１が流体を含むように構造体に取り付けられ得る、代替ＡＩＯＬを示す。
【０１２８】
図１３は、多くの実施形態による、１つの光学要素を組み込む水晶体嚢の赤道および後方領域を封止することによって流体チャンバを形成するように構成された触覚構造体を有し、薄膜１３０１が単一光学要素の実装に対して流体を含むように構造体に取り付けられ得る、代替ＡＩＯＬを示す。
【０１２９】
図１４Ａおよび１４Ｂは、多くの実施形態による、単一光学要素のレンズ支持構造体１４０１がデバイスの外周に沿って外周方向に均一に開き、該レンズ支持構造体が流体で充填された、または他の従来の触覚部に接続されない、代替ＡＩＯＬを図示する。ＡＩＯＬデバイスは、水晶体嚢受容構造体１４０５に留まるように図１４Ａおよび１４Ｂに示され、レンズ支持構造体１４０１は、１４０２で後方水晶体嚢に接触し、１４０３で前方水晶体嚢にも接触する。デバイスは、前方嚢開口部１４０４およびレンズ支持構造体１４０１が以下に記載される作動機械的封止部に影響を及ぼすようなある様式で嚢切開部１４０８と整合し得るように位置付けられることができる。図１４Ｂは、水晶体嚢が、設置されたデバイスに一致し、レンズの調節の起動および緩和のためのチャンバ１４０５および１４０６を作り出すために必要とされる封止部を提供する、手術後の設置されたＡＩＯＬを図示する。ＡＩＯＬは、取り付け区域が嚢の半環状領域を封止するように、本来の嚢内に挿入され、接触し得る。半環状領域とＡＩＯＬの内部との間の流体移動は、ＡＩＯＬにおける調節の変更をもたらすことができる。
【０１３０】
図１５−２３Ｂは、それらの製造に重点を置いた、代替ＡＩＯＬ実施形態を図示する。図１５は、前方レンズ要素１５０１および後方レンズ要素１５０２から構成される光学部分アセンブリである。光学流体チャネル１５０３は、流体が流体光学要素または光学チャンバ１５０４に流入することを可能にし、部分アセンブリは、取り付け穴１５０５でレンズ支持構造体１６０１に結合される。
【０１３１】
図１６Ａおよび１６Ｂは、レンズ支持構造体１６０１内に挿入成形され、接触点１６０２および１６０３が１６０４で一緒に結合されて、ＡＩＯＬの組み立てを完了する、図１５の光学部分アセンブリを示す。
【０１３２】
図１７は、後方不透明化セルダム１７０１および嚢切開支持フランジ１７０２を組み込む、図１６に前述されたものの修正された実施形態を示す。
【０１３３】
図１８は、光学部分アセンブリ１８０６がレンズ支持構造体１８０５内に挿入成形され、触覚構造体１８０１が点１８０２および１８０３で１８０５に結合されて、触覚流体チャンバ１８０４を作り出す、ＡＩＯＬの最終アセンブリを図示する。この構成は、代替として、光学アセンブリ１９０１が、溶剤または熱のいずれかを使用して、挿入支柱１９０２で支持構造体１９０３に結合される、図１９に図示されるもの等のレンズを組み込んでもよい。図１９のレンズシステムは、約１０％膨張し、それにより流体密な圧力嵌めをもたらすまで、レンズシステムを水和することにより、組み立て後に封止される。
【０１３４】
図２０は、図１９等に示される光学アセンブリを組み込む、ＡＩＯＬの上面図である。挿入点および結合点２００１が、示される。調節は、触覚構造体２００３が水晶体嚢（図示せず）の赤道外周によって圧縮されるときに流体チャネル２００２が流体光学要素またはレンズチャンバ２００５内への流体の移動を可能にする場合、生じ得る。触覚部のレリーフ２００４は、圧縮中の最小円周方向応力および圧縮が緩和されたときの非調節位置への迅速な回復を提供することができる。
【０１３５】
図２１Ａは、触覚構造体における最小変形の点２１０１を示す図２０のＡＩＯＬの側方断面図であり、図２１Ｂは、触覚構造体に対して生理学的に適切な負荷が与えられた触覚構造体の変形を示す。図２２は、図２０、２１Ａ、および２１ＢのＡＩＯＬアセンブリの等角図である。
【０１３６】
図２３Ａは、レンズシステム２３０２が触覚構造体包囲体２３０３内に挿入成形される、代替実施形態および組み立て方法である。図２３Ｂは、触覚チャンバ２３０８を作り出す封止された触覚シーム２３０７を有する完成したＡＩＯＬアセンブリを示す。
【０１３７】
図２４は、本明細書に記載される光学構造体、後方触覚構造体２４０６、および前方触覚構造体２４０７から構成される代替触覚構造体および支持構造体を備える代替低プロファイルＡＩＯＬを示す。光学構造体は、支柱２４０２への取り付けを介して整合および固定され得、支柱２４０２は、点２４０１で結合され得る。触覚シーム２４４２は、結合されて、封止部を形成し、触覚流体貯蔵部２４０４を作り出すことができる。そのような実施形態では、点２４０１での結合および触覚シーム２４４２は、流体が触覚流体貯蔵部２４０４の中および／または外に漏出するのを防止するために、流体密な封止を形成することができる。光学構造体２４０５は、撓み可能であり得る前方平面部材と、撓みに耐性があり得る後方平凸部材とを備え得る。
【０１３８】
本明細書に記載される実施形態は、多くの方法のうちの１つまたは複数のもので組み合わせることができる。例えば、図２５Ａ−２８Ｂおよび３１−３５Ｂの実施形態は、本明細書に記載される類似する、または代替構造、およびこれらの組み合わせを含むように組み合わせることができ、図の識別番号の最後２桁は、同様の構造を示す。
【０１３９】
図２５Ａは、図２４のそれに類似するＡＩＯＬの調節可能性のモデルを示す。ＡＩＯＬは、遠見のための撓んでいない構成２５２１と、近見のための撓み構成２５２２とを有する。ＡＩＯＬは、レバー触覚構造体２５０２に連結された前方平面撓み可能部材２５０３の平面構成を有する非調節構成で示される。触覚部２５０２の外側構造は、水晶体嚢を係合するように構成され、本明細書に記載されるように、嚢に対する圧力を減少させるための構造を有し得る。剛性部材２５１０は、遠見のための屈折力を提供するためのレンズを備え得る。撓み可能部材２５０３は、例えば、実質的に一定の厚さを有する略平面部材を備え得る。撓み可能部材２５０３は、内側光学部分２５２５と、延長部２５１１とを備える。延長部２５１１は、内側光学部分２５２５と回転触覚構造体２５０２との間に延在する。内側光学部分２５２５が凸状撓み２５２４を有する場合、内側光学部分の下のチャンバの流体は、光学補正を提供するように成形される。
【０１４０】
撓み可能部材２５０３および剛性部材２５１０は、内側チャンバ２５１２の少なくとも一部分を画定する。内側チャンバ２５１２は、眼の房水の屈折率よりも大きい屈折率を有する流体を含む。撓み可能部材２５０３が増加した曲率を有する場合、内部流体は、凸状レンズ形状を有し、さらなる屈折力を提供する。
【０１４１】
ＡＩＯＬは、剛性部材２５１０の外表面から撓み可能部材２５０３の外表面に延在する中央の厚さを有する。中央の厚さは、遠見構成にあるＡＩＯＬレンズの第１の中央の厚さ２５３０と、近見構成にあるＡＩＯＬレンズの第２の中央の厚さ２５３１とを有し得る。中央のレンズの厚さの増加は、レンズの増加した屈折力に関連する。レンズの増加した屈折力はまた、中央光学部分の直径の平方にほぼ逆比例して関連する。延長部分は、光学部分の直径を減少させ、第１の距離２５３０から第２の距離２５３１の変更量に関して増加した屈折力を提供することができる。
【０１４２】
剛性部材２５１０は、レンズが近見のために調節されるとき、触覚構造体２５０２が回転するように、触覚構造体２５０２に接続される。触覚構造体２５０２は、触覚部が剛性部材２５１０に対して回転する固定点２５４０等の第１の固定領域まで延在する。触覚構造体は、第１の固定領域から水晶体嚢の壁までの距離を延在する。触覚構造体２５０２は、第２の固定点２５４１等の第２の固定領域まで延在する。第２の固定領域２５４１は、撓み可能部材に内向きの力を誘導するために、撓み可能部材２５０３に連結される。第１の領域から水晶体嚢を係合する触覚部の外側構造までの距離は、第１の領域から第２の領域までの距離よりも長い。この距離の差は、撓み可能部材２５０３に水晶体嚢力の機械的てこ作用をもたらす。撓み可能部材２５０２に対する水晶体嚢の力は、撓み可能部材の凸状撓み２５２４を誘導する。延長部２５１１は、反対の凹状曲率を有する。
【０１４３】
延長部分は、反対の凹状曲率を有し得るが、この曲率は、視覚的乱れを減少させるために、多くの方法のうちの１つまたは複数のもので提供されることができる。調節光学補正の量は、延長部分の反対の曲率が患者の知覚可能な光学的影響を含む可能性がないように、約２〜１０ジオプターであってもよい。また、眼は本来、球状収差を有し、少量の収差は知覚可能ではない場合がある。さらに、レンズは、瞳孔が反対に湾曲する凹状部分の少なくとも一部分を覆うように定寸されることができる。少なくともいくつかの実施形態では、撓み可能構成要素の延長部分の厚さプロファイルは、反対の曲率を撓み可能部材のより薄い外側部分に集中させるために薄くあり得る。湾曲した撓み可能部材が提供され、内部反射に関する視覚の乱れを阻止するように構成され得るが、実施形態に関する研究は、略平面撓み可能部材が、例えば、内部反射により生じ得る視覚の乱れを減少させることを示唆する。
【０１４４】
多くの実施形態では、触覚部２５０２は、チャンバ２５１２に連結された外側貯蔵部を備え、外側貯蔵部に対する触覚部の力は、例えば、固定点２５４１での触覚部２５０２の内向きの力に加えて、眼が調節するとき、チャンバ２５１２に向かって流体を付勢することができる。
【０１４５】
本明細書に記載されるＡＩＯＬは、有限要素モデル化を用いて研究することができる。有限要素モデル化は、多くの方法のうちの１つまたは複数のもので行うことができるが、多くの実施形態では、有限要素モデル化は、当業者に公知であるＡｂａｑｕｓ等の既知の商業的に入手可能なソフトウェアを用いて行われる。本明細書に記載されるレンズは、有限要素メッシュおよび本明細書に記載される１つまたは複数の材料の既知の材料性質を用いてモデル化され、水晶体嚢力に対するＡＩＯＬの応答が決定され得る。
【０１４６】
当業者は、本明細書に記載されるレンズの有限要素モデル化出力を取り、例えば、眼に調節を提供するための適切なＡＩＯＬパラメータを決定するために、水晶体嚢力に応じてＡＩＯＬの屈折力を決定することができる。少なくとも図２５Ａ−２８Ｂおよび３１−３５Ｂは、実施形態による、水晶体嚢の力に対するＡＩＯＬの応答を示す。
【０１４７】
図２５Ｂは、図２５Ａが開発されたモデルの断面図を示す。レンズまたは光学構造体は、個々のレンズ間にさらなる空間を有し、後方および前方触覚構造体２５０６および２５０７はさらなる嵌合表面２５０８を組み込むことに留意されたい。そのような実施形態では、触覚構造体２５０６、２５０７は、レンズまたは光学構造体２５０３上に被覆成形され得る。触覚構造体２５０６、２５０７は、熱可塑性または溶剤溶着性材料から構成されてもよく、それにより２つの半分の接合を容易にする。嵌合表面２５０８を備える特徴は、流体通路２５０９または位置決めおよび整合特徴（図示せず）も含み得る。
【０１４８】
図２５Ａ−２５ＣのＡＩＯＬによる実施形態では、撓み可能構造体またはレンズ２５０３の撓みは、触覚構造体２５０２の中間部分により撓み可能構造体またはレンズ２５０３に伝達される触覚構造体２５０２の周辺縁部に適用される機械的力によって主に駆動され得る。撓み可能構造体またはレンズ２５０３は、非撓みレンズ２５１０上に直接載置されないため、撓み可能構造体またはレンズ２５０３は、示されるように留められてもよい。そのような実施形態では、撓み可能レンズまたは構造体２５０３が受ける撓みは、撓み可能構造体またはレンズ２５０３と非撓み構造体またはレンズ２５１０との間に作り出される流体光学要素またはレンズの調節力を増加させ、流体光学要素の容積は、調節力が増加すると増加するであろう。したがって、さらなる光学流体が必要とされ、チャネル２５０９を介して、触覚構造体２５０２に含まれる貯蔵部から提供され得る。
【０１４９】
図２６は、図２５Ａ−２５ＣのＡＩＯＬの変形を表し、前方触覚構造体２６０２は、撓み構造２６０３への力を良好に合わせるために触覚構造体壁２６０６で剛化されている。眼の嚢構造の赤道領域からもたらされる力は、触覚構造体２６０２の外縁を介して合わせられ、屈曲点２６１１の周囲にモーメントを作り出す。モーメントは、撓み可能構造２６０３の外向きの撓みをもたらす。
【０１５０】
図２７は、図２４のそれに類似するＡＩＯＬの調節可能性の表示である。ＡＩＯＬは、撓み可能構造体または前方レンズ２７０３と、剛性または非撓み可能部材２７１０と、撓み可能構造体２７０３および剛性部材２７１０を支持する触覚構造体２７０２とを含む。眼に設置されるとき、撓み可能部材２７０３は、ＡＩＯＬの前方部分に位置し、剛性部材２７１０は、ＡＩＯＬの後方部分に位置することができる。この実施形態では、触覚構造体２７０２の触覚壁２７０６は、ＡＩＯＬの内側チャンバ２７１２の流体レンズ構造体と流体連通する（例えば、流体チャネルを通して）触覚貯蔵部２７０７に連結される。光学構造体の撓み可能部材２７０３の撓みは、触覚構造体２７０２および触覚壁２７０６の撓みにより作り出される流体圧力によって少なくとも一部提供され得る。例えば、触覚構造体２７０２の外縁は、触覚構造体２７０２の外縁に適用される力（例えば、嚢構造の内向きの力）によって回転することができ、同時に、触覚貯蔵部２７０７において内向きの崩壊を引き起こし、それにより触覚貯蔵部２７０７内の圧力を増加させ、そこから流体レンズ構造体２７１２内に流体を移動させる。流体レンズ構造体２７１２の容積の増加は、剛性部材２７１０に対して撓み可能部材２７０３を前方に移動させることができ、それにより曲率を増加させ、眼の屈折力を増加させる。いくつかの実施形態では、触覚構造体２７０２の回転は、眼の屈折力を増加させるために、触覚構造体２７０２に対して撓み可能構造体２７０３および剛性部材２７１０を回転方向の反対方向に一緒にさらに移動させることができる。
【０１５１】
図２８Ａおよび２８Ｂは、図２５および２６のＡＩＯＬの変形を図示する。図２８Ａは、ＡＩＯＬの半断面を示す。ＡＩＯＬは、光学またはレンズ構造体２８０５から構成され、同時に、撓み可能構造体または部材２８０３、剛性もしくは非撓み可能レンズまたは部材２８１０、および流体で充填されたレンズチャンバまたは流体光学要素２８１２から構成される。光学またはレンズ構造体２８０５は、触覚構造体２８０２により一緒に保持されることができる。触覚構造体２８０２は、ＡＩＯＬの要素が組み立て中に積み重ねることができる整合構造２８１６を有し得る。整合構造２８１６は、整合支柱２８２２およびダイヤフラム要素２８２６も備え得る。他の要素は、スペーサー２８１４およびカバーシール２８１５を含む。触覚構造体２８０２が構成される材料は、典型的には、溶剤および／または熱溶着性である。スペーサー要素２８１４は、流体で充填されたレンズチャンバ２８１２とダイヤフラム２８２６を備える触覚貯蔵部２８１３との間の流体連通を容易にするチャネルを備える。流体で充填されたレンズチャンバ２８１２および触覚貯蔵部２８１３は、封止された貯蔵部等の閉鎖システムを形成してもよい。この実施形態では、触覚貯蔵部２８１３は、触覚構造体２８０２の外縁に適用される作動力によるように変形されない。代わりに、眼の嚢構造から伝達される直接的な力を受けることから隔離され得るダイヤフラム要素２８２６は、流体で充填されたレンズチャンバまたは流体光学要素２８１２内の圧力変化の調節において撓む。ダイヤフラム要素２８２６は、図２８Ｂに示されるダイヤフラム要素２８２６の前方撓みが流体で充填されたレンズチャンバ２８１２の容積の増加および撓み可能構造体２８０３の後方撓みに対応するように、流体で充填されたレンズチャンバ２８１２に流体的に連結され得る。そのような実施形態は、調節を媒介するために嚢の赤道領域で発生した力のみを使用することが望ましい場合、利点を有し得る。そのような実施形態では、内部レンズチャンバの圧力は負であり得る。
【０１５２】
図２４〜２８Ｂのもの等、上に記載される実施形態の多くにおいて、ＡＩＯＬは、その構成要素の全てが乾燥状態にあるときに組み立てられるであろう。光学またはレンズ構造体が親水性ＰＭＭＡコポリマーから構成される場合、システムは、組み立ての完了時に水和されるであろう。水和される際、親水性レンズ構成要素は膨張し、それにより構造体内のチャンバの封止を強化する。
【０１５３】
図２９は、ＡＩＯＬの実施形態を示し、レンズまたは光学構造体は、ＡＩＯＬの２つの半分２９０６および２９０７のそれぞれの中にレンズ２９１０を被覆成形することにより作製される。示されるように、レンズは同じである。しかしながら、いくつかの実施形態では、１つのレンズが撓み可能であり、もう１つがそうではないとき等、それらが異なることが望ましい場合がある。触覚流体チャンバ２９１３を備える触覚構造体２９０２は、構造体２９０６の周辺要素を折り畳み、それを結合表面２９０３に結合することにより、組み立て時に作製されることができる。この実施形態では、シーム２９０８は、未結合のまま残してもよい。そのような実施形態では、圧力が触覚構造体２９０２の外表面に適用されるとき、レンズ２９１０は変位および撓ませられる。そのような構造体は、構造体が圧縮されたときに上および下半分が互いに陥入することができるため、送達断面を最小にすることにより利点を提供し得る。
【０１５４】
図３０は、レンズがＡＩＯＬ構造体のいずれかの半分内に被覆成形されるとき、触覚構造体２９０２の構成要素の固定を容易にする穴特徴２９２０を組み込む、図２９のＡＩＯＬからのレンズ構造体を図示する。
【０１５５】
図３１は、凹状領域３１１１、剛性または非撓み可能部材３１１０、および流体で充填されたチャンバ３１１２を備える撓み可能部材３１０３を備えるＡＩＯＬ３１００の実施形態を示す。この実施形態では、凹状部材３１１１の凹面は、剛性または非撓み可能部材に対して凹状領域３１１１の中央部分の内向きの撓みに剛性または非撓み可能部材に対して撓み可能部材３１０３の外向きの撓みを生じさせて凸状構成にする。多くの実施形態では、ＡＩＯＬ３１００が水晶体嚢内に設置されるとき、凹状領域３１１１の内向きの撓みは前方向にあり、凹状部材３１１１の中央部分の外向きの撓みは後方向にあり、代替実施形態では、逆もまた同様である。多くの実施形態では、凹状領域３１１１は、均一の厚さを有する。
【０１５６】
図３２は、凹状領域３２１１、剛性または非撓み可能部材３２１０、流体に充填されたレンズチャンバ３２１２、および壁を有する触覚構造体３２２１を備える撓み可能部材３２０３を備えるＡＩＯＬ３２００の実施形態を示す。この実施形態では、凹状部材３２１１の凹面は、撓み可能部材３２０３の中央が、撓み可能部材の外側部分が剛性部材に向かって移動するときに剛性部材３２１０から分離するように、剛性部材３２１０に対する触覚および触覚構造体壁３２２１の回転を、剛性部材３２１０に対して撓み可能部材３２０３の外向きの撓みに変換する。多くの実施形態では、ＡＩＯＬ３２００が水晶体嚢内に設置されるとき、凹状領域３２１１の内向きの撓みは前方向にあり、凹状部材３２１１の中央部分の外向きの撓みは後方向にあり、代替実施形態では、逆もまた同様である。多くの実施形態では、凹状領域３２１１は、ヒンジとして作用するように、撓み可能部材３２０３の残部を薄くする。例えば、凹状領域３２１１は、撓み可能部材３２０３の外表面領域の凹状切欠きを含み得る。
【０１５７】
図３３は、撓んでいない構成３３２１および撓ませられた構成３３２２のＡＩＯＬの概略図を示す。ＡＩＯＬは、剛性または非撓み可能部材３３１０（例えば、もう１つ凸状に湾曲した光学表面）、撓み可能部材３３０３（例えば、ひずみを阻止するために均一かつ一定した厚さを有する光学材料）、流体で充填されたチャンバ３３１２、およびレバーまたは片持ち触覚構造体３３０２を備える。レバー構造の触覚部３３０２は、剛性部材３３１０の外縁付近の薄い部分等、第１の固定点３３４０または領域で剛性部材３３１０に接続される。第１の固定点３３１２または領域は、剛性部材３３１０の外縁を通って延在する軸に沿った任意の点または領域、およびレバー構造の触覚部３３０２の外周であってもよい。ＡＩＯＬが眼の水晶体嚢に設置されるとき、レバー構造の触覚部３３０２の外周は、眼の光学軸を横断する、またはそれに垂直な方向に延在し得る。レバー構造の触覚部３３０２は、第２の固定点３３４１または領域で弾性延長部３３１１を通して撓み可能部材３３３０にも接続される。多くの実施形態では、弾性延長部３３１１は、撓み可能部材３３０３の厚さよりも薄い厚さを有する。これらの実施形態では、レバー構造の触覚部３３０２は、厚さおよび厚さより大きい長さを有する。レバー構造の触覚部３３０２の長さは、機械的てこ作用（例えば、水晶体嚢からの内向きの力または眼の圧力）が眼の水晶体嚢に接触するレバー構造の触覚部３３０２の端部から第２の固定点３３４１に適用され得るように、第１の固定点３３４０と第２の固定点３３４１との間の距離よりも長くあることができる。
【０１５８】
多くの実施形態では、剛性部材３３１０の第１の固定点３３４０の周囲でのレバー構造の触覚部３３０２の回転は、反対の曲率で反対方向に弾性延長部３３１１および撓み可能部材３３０３を撓ませるために、弾性延長部３３１１に力を加えることができる。例えば、回転は、弾性延長部３３１１を、凹状外表面を有する剛性部材３３１０に近づかせ、撓み可能部材３３０３を、凸状外表面を有する剛性部材３３１０からさらに離れて分離させてもよい。撓み可能部材３３０３の撓みは、第１の直径Ｄ１から第２の直径Ｄ２への遷移を伴う場合があり、第２の直径Ｄ２は、第１の直径Ｄ１よりも小さい。直径の大きさの減少により、撓み可能部材３３０３の球状撓み等の凸状撓み３３２４を剛性部材３３１０から離れさせることができる。撓み構成３３２２において、撓み可能部材３３０３の凸状撓み３３２４は、曲率によって特徴付けることができ、弾性延長部３３１１は、反対の曲率によって特徴付けることができる。凸状撓み３３２４の曲率は、弾性延長部３３１１の曲率の反対であることができる。例えば、凸状撓み３３２４の曲率は、ＡＩＯＬの外表面に沿って正であってもよく、延長部の曲率は、ＡＩＯＬの外表面に沿って負の曲率を有し得る。
【０１５９】
Ｄ１からＤ２への撓み可能部材３３０３の直径の変更は、第１の高さ３３３０と第２の高さ３３３１との間の撓み高さが対応する直径の変更よりも大きいように、剛性部材３３１０から離れる対応する増幅した移動をもたらし得る。そのような実施形態では、球状撓みの正の曲率は、ＡＩＯＬの屈折力を変更するために、流体で充填されたチャンバ３３１２により凸状に湾曲したプロファイルを取らせることができる。流体で充填されたチャンバ３３１２の形状の変更は、容積の増加をもたらし、それにより周辺貯蔵部等から流体を流体で充填されたチャンバ３３１２内に引き入れることができる。代替として、または組み合わせて、撓み可能部材３３０３および流体チャンバ３３１２の形状の変更は、チャンバ３３１２の容積を実質的に変更することなく生じ得る。例えば、流体で充填されたチャンバ３３１２の形状の変更は、例えば、チャンバ３３１２の外側部分から流体を引き込むことにより、および周辺貯蔵部から流体を引き込むことなく、内部流体の再分布により屈折力を変更させることができる。また、レバー構造の触覚部３３０２の回転は、ＡＩＯＬが水晶体嚢内に設置されるとき、レバー構造の触覚部３３０２の外縁に対して後方向に撓み可能部材３３０３および剛性部材３３１０を一緒に並進させてもよい。そのような並進は、眼の屈折力をさらに変更してもよい。剛性部材３３１０から離れる撓み可能部材３３０３の分離、その曲率を増加させるための撓み可能部材３３０３の撓み、ならびに撓み可能部材３３０３および剛性部材３３１０の後方向への一緒の並進は、組み合わされて、眼の屈折力を変更し得る。例えば、この組み合わせは、ＡＩＯＬを収納する水晶体嚢における小さな収縮を、ＡＩＯＬの屈折力において顕著な変更に増幅することができる。そのような屈折力における変更は、分離、撓み、および並進動作のうちのいずれか１つの単独よりも大幅に大きくてもよい。
【０１６０】
本明細書に記載される触覚構造体は、シリコーン、ウレタン、または他の好適な熱可塑性のもの、ＰＭＭＡ、およびＰＭＭＡコポリマーを含み得る。多くの実施形態では、触覚構造体は、光学構造体と同じ、または類似する材料を含む。
【０１６１】
図３４Ａは、実施形態による、ＡＩＯＬを示す。本明細書に記述されるように、撓んでいない構成３４２１は、灰色で示され、撓み構成３５２２は、斜線で示される。ＡＩＯＬは、本明細書に記載される、内側光学部分３５２５および延長部を備える。類似する最後２桁で示される類似する構造体が本明細書において示される。
【０１６２】
図３４Ｂは、図３４ＢにあるようなＡＩＯＬチャンバの内圧を示す。内部チャンバ３４１２の圧力は、負荷とともに増加することが示される。負荷によるこの増加した圧力は、レバー触覚構造体の内向きの力およびＡＩＯＬの内圧が内側光学構造体３４２５の凸状撓み３４２４に起因することを示す。
【０１６３】
図３５Ａは、実施形態による、ＡＩＯＬを示す。本明細書に記述されるように、撓んでいない構成３５２１は、灰色で示され、撓み構成３５２２は、斜線で示される。ＡＩＯＬは、本明細書に記載される、内側光学部分３５２５および延長部を備える。類似する最後２桁で示される類似する構造体が本明細書において示される。
【０１６４】
図３５Ｂは、図３５ＢにあるようなＡＩＯＬチャンバの内圧を示す。内部チャンバ３５１２の圧力は、負荷とともに減少することが示される。負荷によるこの減圧は、レバー触覚構造体の内向きの力が内側光学構造体３５２５の凸状撓み３５２４をもたらすことができることを示す。さらに、圧力が負のとき、この圧力応答曲線は、撓みおよび屈折力の変更がチャンバの流体からの圧力からとは対照的に機械的に駆動された内向き半径方向の負荷の結果であることを示す。図３５Ｂは、レバー触覚構造体の内向きの力が、内部チャンバの負圧により撓み可能部材２５０２を撓ませることができることを示す。
【０１６５】
結合
結合は、本明細書に開示される多くのＡＩＯＬ構造体のうちの１つまたは複数のものを結合するために使用されることができる。構造体は、本明細書に記載される多くの方法のうちの１つまたは複数のもので結合され得、ステップ、プロセス、および材料は、改善されたＡＩＯＬ構造体の結合を提供するように組み合わせることができる。
【０１６６】
本明細書に記載される構成要素の結合は、例えば、多くのＩＯＬ構成要素のうちの１つまたは複数のものを用いて使用することができる、多くのＩＯＬ材料のうちの１つまたは複数のものを用いて使用することができる、調節および非調節式ＩＯＬを用いて使用することができる、および本明細書に記載される多くのＡＩＯＬのうちの１つまたは複数のものを用いて使用することができる。調節式ＩＯＬは、水晶体嚢の変形に応じてレンズの屈折力を変更するために、ディスク形状の構成要素を水晶体嚢に連結するための１つまたは複数の触覚部を備え得る。多くの実施形態では、１つまたは複数の触覚部は、第１および第２のレンズ構成要素を備えるチャンバと流体的に連結されるチャンバを備える。触覚部は、例えば、アクリレートポリマー、またはシリコーンポリマー、およびこれらの組み合わせ等、本明細書に記載される柔軟な材料から作製され得る。
【０１６７】
剛性の機械加工されたポリマーの結合を参照するが、本明細書に開示される結合は、例えば、水和ポリマー、柔軟な水和ポリマー、機械加工されたポリマー、成形ポリマー、成形乾燥ポリマー、成形剛性ポリマー、成形柔軟ポリマー、または成形水和ポリマー、およびこれらの組み合わせのうちの１つまたは複数のものを用いて使用されることができる。
【０１６８】
多くの実施形態では、ＡＩＯＬは、第１の構成要素および第２の構成要素を備える。第１の構成要素は第１のディスク形状の構造を備え、第２の構成要素は第２のディスク形状の構造を備える。環状構造は、眼の房水の屈折率である約１．３３６超の屈折率を有する流体を含むチャンバを画定するために、第１のディスク形状の構造と第２のディスク形状の構造との間に延在する。第１のディスク構造または第２のディスク構造のうちの１つまたは複数の曲率が増加する場合、ＡＩＯＬの屈折力が増加する。
【０１６９】
第１および第２の構成要素は、１つまたは複数の結合表面で互いに結合されることができる。結合表面の位置は、ＡＩＯＬの光学性質に対する結合表面の影響を減少させるように選択されることができる。例えば、結合表面は、環状構造、第１のディスク形状の構成要素、第２のディスク形状の構成要素、およびこれらの組み合わせのうちの１つまたは複数の周囲に円周方向に延在し得る。多くの実施形態では、結合表面は、構成要素を一緒に結合する、環状構造、第１のディスク形状の構成要素、第２のディスク形状の構成要素、およびこれらの組み合わせのうちの１つまたは複数の周囲に円周方向に延在するシームに、またはシーム付近に位置する。第１および第２の構成要素の光学部分から離れてシームを位置付けることにより、改善された光学性質が提供される。
【０１７０】
多くの実施形態では、第１および第２の構成要素は、第１のディスク形状の構造および第２のディスク形状の構造等の回転対称構造を提供するために旋盤にかけられる。第１の構成要素または第２の構成要素のうちの１つまたは複数のものは、構成要素を一緒に結合する前に環状構造を有し得る。１つまたは複数の環状溝は、第１の構成要素を第２の構成要素と光学的に整合するために、第１の構成要素および第２の構成要素上に提供されることができる。環状溝の１つまたは複数の部分または他の形状の溝または複数の溝は、第１および第２の構成要素を一緒に結合するための結合表面として使用されることができる。
【０１７１】
第１および第２の構成要素を互いに結合するために様々な技法が使用され得る。例えば、本明細書に記載される結合表面を接合するために、直接結合方法が使用されることができる。直接結合方法は、有利に、構造体の残部と類似する材料および機械性質を有する連続した結合接触面を提供することができる。例えば、結合接触面は、構造体の第１および第２の構成要素に類似して膨張し得る。例示的な直接結合方法としては、熱結合、溶剤結合、局部溶着、または表面改質が挙げられ得る。
【０１７２】
第１および第２構成要素の熱結合は、構成要素（例えば、結合表面の、またはその付近の）を、構成要素のうちの１つまたは両方のガラス転移温度付近またはそれを上回る温度に加熱することを伴うことができる。加熱プロセス中、圧力は、結合表面の構成要素間の接触力を増加させるために適用されることができる。好適な温度および圧力条件を使用することにより、構成要素のポリマー鎖を結合表面間で相互拡散させ、互いに交絡し、それにより第１および第２の構成要素を一緒に結合することができる。
【０１７３】
溶剤結合は、好適な溶剤を、第１および第２の構成要素の結合表面に適用することを伴うことができる。溶剤は、結合表面の構成要素のポリマー鎖を溶媒和し、それにより鎖の可動性を増加させ、結合表面間で相互拡散することができる。例えば、ＨＥＭＡとＭＭＡのコポリマーから加工された構成要素の溶剤結合は、結合表面を好適な溶剤で処理することにより促進され得る。例示的な溶剤としては、ＥＧＤＭＡ、ジエチレングリコールジメタクリレート（ＤＥＧＤＭＡ）、トリエチレングリコールジメチルアクリレート（ＴＥＧＤＭＡ）、水、メタノール、エタノール、アセトン、ジメチルスルホキシド、アセトニトリル、イソプロパノール、ｎ−ヘキサノール、二塩化エチレン、二塩化メチレン、シクロヘキサン、またはこれらの好適な組み合わせを挙げることができる。結合表面は、洗浄され、その後、溶剤で湿潤され得る。結合表面は、互いに接触し、既定の時間の長さの間、好適な圧力および温度条件に曝される（例えば、プレス、オーブン、加熱プレートを使用して等）ことにより結合されることができる。
【０１７４】
局部溶着は、結合表面を加熱し、軟化させるために、結合表面に、またはその付近にエネルギーを集中して適用し、それにより構成要素を一緒に結合することを伴うことができる。好適なエネルギー形態は、超音波エネルギー、マイクロ波エネルギー、または赤外線エネルギーを含み得る。場合によっては、好適な構成要素は、適用されるエネルギーを結合表面の適切な領域に指向するように、構成要素のうちの１つまたは複数のものに形成されることができる。
【０１７５】
別の例として、好適な表面改質技法は、直接結合を達成するために、本明細書に記載される結合表面のうちの１つまたは複数のものに適用することができる。表面改質は、その表面エネルギーを増加させ、よって、表面接触を改善し、結合表面間のポリマー鎖交絡の程度を増加させるために、結合表面を処理することを伴い得る。多くの実施形態では、結合表面は、プラズマの活性化、ＵＶ曝露、および／またはオゾン曝露により改質することができる。本明細書に記載される表面改質処理のパラメータ（例えば、処理時間）は、結合表面のポリマー鎖の表面再配列の程度を最適化するように選択されることができる。
【０１７６】
あるいは、または加えて、ＡＩＯＬの第１および第２の構成要素を結合するために、好適な接着剤を利用する直接結合技法が使用されることができる。接着剤は、本明細書に記載される結合表面の少なくとも一部分に適用され得る。多くの実施形態では、接着剤は、第１および第２の構成要素と類似する材料および機械性質を有するように選択される。例えば、接着剤は、構成要素のポリマーのプレポリマーを含み得る。プレポリマーは、例えば、ポリマーのモノマー、オリゴマー、部分的に硬化されたモノマー、粒子、またはナノ粒子のうちの１つまたは複数のものを含み得る。そのような結合実施形態は、シームがないか、またはシームを減少させる、つまり、結合接触面は構造体と類似する機械性質を有する利点を提供することができる。例えば、接着剤は、第１および第２の構成要素に類似して膨張し得る。そのような構成要素は、例えば、実質的に直径および周囲に沿って膨張し得るため、これは、接着剤が上述のように第１および第２の構成要素の周囲に円周方向に提供される場合、有益であり得る。ＡＩＯＬは、挿入の大きさを減少させるために小さく作製され得、減少した応力で変形するように構成された薄い変形可能構造を備え得るため、ＡＩＯＬの結合表面に沿った応力の減少は有益であり得る。
【０１７７】
多くの実施形態では、接着剤（例えば、プレポリマー）は、第１および第２の構成要素を一緒に結合するために硬化される。硬化プロセスは、当業者に公知の技法を使用して、接着剤の１つまたは複数の成分を重合することを伴い得る。例えば、プレポリマーの前駆体モノマーは、開始剤の添加により部分的または完全に重合され得る。開始剤は、例えば、Ｉｒｇａｃｕｒｅ６５１（Ｉ６５１，Ｃｉｂａ−Ｇｅｉｇｙ）等の光開始剤、または２，２’−アゾビス（イソブチロニトリル）、２，２’−アゾビス（２，４−ジメチルバレロニトリル）、過酸化ジラウロイル、あるいはビス（４−ｔ−ブチルシクロヘキシル）ペルオキシジカーボネート等のラジカル開始剤であってもよい。多くの実施形態では、モノマーは、架橋剤の存在下で重合される。架橋剤は、ＥＧＤＭＡ、ＤＥＧＤＭＡ、またはＴＥＧＤＭＡのうちの１つまたは複数のものを含み得る。モノマーおよび架橋剤の重合は、第１および第２の構成要素と交絡され、それによりそれらを一緒に接合し得る相互貫入ポリマーネットワーク（ＩＰＮ）を形成し得る。場合によっては、結合表面は、露出された反応基を提供するために好適な活性化剤を使用して活性化され、それにより結合表面とプレポリマーおよび／または架橋剤との間の化学結合の形成を可能にすることができる。重合プロセス後、過剰な試薬は、すすぎ、好適な溶剤中への浸漬、または当業者に公知の他の方法により除去されることができる。
【０１７８】
本明細書に記載される結合技法は、本明細書に記載されるＡＩＯＬの加工中の任意の時点で適用することができる。例えば、第１および第２の構成要素は、剛性の実質的に乾燥構成にある間に、互いに結合されることができる。構成要素のそれぞれは、機械加工のために剛性構成で提供され、剛性構成にある間に接着剤で一緒に結合されることができる。構成要素は、実質的に水和され得る。あるいは、構成要素は、部分的に、または完全に水和された構成にある間に結合されることができる。
【０１７９】
多くの実施形態では、第１および第２のレンズ構成要素は、ヒドロキシエチルメタクリレートとメチルメタクリレートのコポリマーを含む。硬化される場合、接着剤は、ヒドロキシエチルメタクリレートとメチルメタクリレートのコポリマーを含む。この構成は、レンズが剛性で完全に水和されない構成から、実質的に膨張し、構成要素に対する応力を阻止し、接着剤がシームに沿って位置する完全に水和された構成に拡張することを可能にすることができる。ポリマー材料の剛性で完全に水和されない構成は、第１および第２の構成要素のポリマー材料に剛性を提供するのに十分に低量の水分を有するポリマーを含むことが当業者によって理解されるだろう。完全に水和されない構成は、当業者により容易に理解されるように、ポリマー材料が光学公差まで材料を機械加工するのに十分な剛性を有するように、わずか約５％の水分、例えば、０．２〜３％の水分から成る実質的に乾燥構成を備え得る。当業者により理解されるように、例えば、ＡＩＯＬが水晶体嚢内に設置されるか、または水和緩衝液中に設置されるとき、ポリマーは、水和状態に膨張し、徐々に完全な水和状態に膨張し得る。完全に水和状態のポリマーは、選択された材料により、例えば、約１５％〜３０％の水分から成ってもよい。完全に水和状態のポリマーは、１０％〜１５％等、１０％超膨張し得る。
【０１８０】
図３６は、製造方法３６００およびＡＩＯＬを提供する方法を示す。
【０１８１】
ステップ３６１０で、本明細書に記載されるポリマー材料の塊が提供される。材料の塊は、第１の構成要素３６１２および第２の構成要素３６１４に寸断される。ポリマー材料は、本明細書に記載されるように、剛性構成を有する。
【０１８２】
ステップ３６２０で、第１の構成要素３６１２および第２の構成要素３６１４は、ＡＩＯＬの第１のレンズ構成要素３６２２および第２のレンズ構成要素３６２４に成形される。構成要素は、旋盤にかけられる、切断する、摩耗する、および光学レンズを成形する他の既知の方法等の多くの方法のうちの１つまたは複数のもので成形されることができる。代替として、または組み合わせて、構成要素は成形され得る。構成要素３６２２、３６２４のうちの１つまたは複数のものは、反対の構成要素を受け取るように成形された特徴３６２６を有し得る（特徴３６２６は、例えば、環状溝を有し得る）。チャネル３６２８は、ＡＩＯＬのチャンバ３６３６と流体連通を可能にするように提供されることができる。代替として、または組み合わせて、チャネル３６２８は、第１および第２の構成要素が一緒に結合されるときに形成されることができる。
【０１８３】
ステップ３６３０で、第１および第２の構成要素３６２２、３６２４は、特徴３６２６において提供される接着剤３６３２で一緒に結合される。第１の構成要素３６２２および第２の構成要素３６２４は、チャンバ３６３６を画定する。
【０１８４】
接着剤３６３２は、構成要素３６１２および３６１４のポリマーのプレポリマーを含む。単一の塊から提供される構成要素が示されるが、ポリマー材料は、類似するポリマー組成を有する別個の材料の塊で提供されることができる。
【０１８５】
触覚部３６３８は、ＩＯＬの内部チャンバが触覚部のチャンバに流体的に連結されるように、ＡＩＯＬ３６３５に固定されることができる。触覚部は、ＡＩＯＬに類似する材料、または異なる材料を含み得る。触覚部３６３８は、厚さ３６３９を有し得る。例えば、ＡＩＯＬは、本明細書に記載されるように、アクリレートを含み得、触覚部３６３８は、柔軟なシリコーン材料を含み得る。触覚部は、ＡＩＯＬが、例えば、剛性構成を有する場合、ＡＩＯＬ内に挿入される柔軟な材料を含み得る。
【０１８６】
剛性構成のＡＩＯＬは、直径等、横断する寸法３６３４を含む。ＡＩＯＬは、ＡＩＯＬ本体の最前方部分とＡＩＯＬ本体の最後方部分との間に延在する厚さ３６４８を有し得る。
【０１８７】
ステップ３６４０で、ＡＩＯＬ３６３５は、ＡＩＯＬが柔軟な材料を有するように、剛性を減少させるために実質的に水和された構成に水和される。水和された構成において、ＡＩＯＬの寸法は増加し、互いに比例的に増加し得る。多くの実施形態では、この増加は、各寸法に沿って類似するパーセンテージ増加を有する。
【０１８８】
多くの実施形態では、剛性構成における水和量は、眼に設置されたとき、ＡＩＯＬが完全な水和状態を有するときの適切な量の屈折力にレンズ構成要素を正確に機械加工するために、既定の水和量を有する。
【０１８９】
上部構成要素３６２２のディスク形状の光学構造体は、例えば、平坦であるか、またはレンズ形状であってもよい。下部構成要素３６２２のディスク形状の光学構造体は、光学構造体のうちの１つまたは複数のものが変形して、屈折力を提供するように、例えば、平坦であるか、またはレンズ形状であってもよい。
【０１９０】
図３７は、本明細書に記載される湾曲した球状表面プロファイル３７００により屈折力を提供するために、撓みた表面プロファイルにより撓ませられた光学構造体を示す。ＡＩＯＬの流体は、湾曲した表面３７００により増加した屈折力を提供するために、房水の１．３３の屈折率よりも大きくてもよい。光学構成要素３６２４は、第１の構成では顕著な屈折力を提供しない略平面形状を有し得、調節のために屈折力を提供する撓みた湾曲した球状表面プロファイル３７００に変形されることができる。
【０１９１】
アクリレートが参照されるが、ポリマーおよびプレポリマーは、例えば、シリコーンヒドロゲル材料を含み得る。
【０１９２】
図３８Ａは、ＡＩＯＬの撓み可能部材が触覚部の並進および回転移動に応じて撓むように構成される、触覚部の最前方部分の前方のＡＩＯＬの最前方部分のＡＩＯＬを示す（両方とも頁の下に示される）。代替実施形態では、レンズは、本明細書に記載される反対の前方後方配向で設置されることができる。撓み可能部材３８０３は、撓み可能部材の外側部分に対する半径方向内向きの力が本明細書に記載される撓み可能部材の内側部分の撓みをもたらすように、十分な半径方向強度を有する。
【０１９３】
撓み可能部材は、例えば、弾性係数、厚さ、または直径のうちの１つまたは複数のものにより少なくとも内側部分を撓ませるために、多くの方法のうちの１つまたは複数のもので、半径方向強度を提供するように構成されることができる。
【０１９４】
撓み可能部材は、水晶体嚢と係合する触覚部によって半径方向内向きに付勢されるときに撓むように、多くの方法のうちの１つまたは複数のもので、触覚部に連結されることができる。多くの実施形態では、撓み可能部材は、撓み可能部材の外側部分が半径方向内向きに付勢されるか、または回転する、およびこれらの組み合わせであるとき、少なくとも内側部分の形状の変更を誘導するように、十分な半径方向強度を有する。多くの実施形態では、撓み可能部材は、剛性部材に対する触覚部の回転が撓み可能部材の外側部分の半径方向内向きの移動および回転撓みを誘導するように、水晶体嚢に連結される。代替として、または組み合わせて、触覚部は、半径方向の力により撓み可能部材を内向きに付勢し、外側部分の半径方向強度により撓み可能部材の内側部分を撓ませるために、半径方向に、かつ剛性部材に関して摺動するように配置されることができる。撓み可能部材は、例えば、外側部分の凹状撓みおよび内側部分の凸状撓みを助長するために、凹状外側部分または薄い環状領域等、撓みを助長するために外側部分に１つまたは複数の構造を備え得る。
【０１９５】
ＡＩＯＬは、遠見のために撓んでいない構成３８２１、および近見のために撓み構成３８２２を有する。ＡＩＯＬは、レバー触覚構造体３８０２に連結された前方平面撓み可能部材３８０３の平面構成を有する非調節構成で示される。触覚部３８０２の外側構造は、水晶体嚢を係合するように構成され、本明細書に記載されるように、嚢に対する圧力を減少させるための構造を備え得る。剛性部材３８１０は、遠見のための屈折力を提供するためのレンズを備え得る。撓み可能部材３８０３は、例えば、実質的に一定の厚さを有する略平面部材を備え得る。撓み可能部材３８０３は、内側光学部分３８２５と、延長部３８１１とを備える。延長部３８１１は、内側光学部分３８２５と並進および回転触覚構造体３８０２との間に延在する。内側光学部分３８２５が凸状撓み３８２４を有する場合、内側光学部分の下のチャンバの流体は、近見のために光学補正を提供するように成形される。
【０１９６】
撓み可能部材３８０３および剛性部材３８１０は、本明細書に記載される、内側チャンバ３８１２の少なくとも一部分を画定する。
【０１９７】
ＡＩＯＬは、剛性部材３８１０の外表面から撓み可能部材３８０３の外表面に延在する中央の厚さを有する。中央の厚さは、遠見構成にあるレンズの第１の中央の厚さ３８３０、および近見構成にあるレンズの第２の中央の厚さ３８３１を有し得る。中央のレンズの厚さの増加は、レンズの増加した屈折力に関連する。レンズの増加した屈折力はまた、中央光学部分の直径の平方にほぼ逆比例して関連する。延長部分は、光学部分の直径を減少させ、第１の距離３８３０から第２の距離３８３１の変更量に関して増加した屈折力を提供することができる。
【０１９８】
剛性部材３８１０は、レンズが近見のために調節されるとき、触覚構造体３８０２が回転するように、触覚構造体３８０２に接続される。触覚構造体３８０２は、触覚部が並進し、剛性部材３８１０に対して回転する固定点３８４０等の第１の固定領域まで延在する。触覚構造体は、第１の固定領域から水晶体嚢の壁までの距離を延在する。触覚構造体３８０２は、第２の固定点３８４１等の第２の固定領域まで延在する。第２の固定領域３８４１は、撓み可能部材に内向きの力を誘導するために、撓み可能部材３８０３に連結される。第１の領域から水晶体嚢を係合する触覚部の外側構造までの距離は、第１の領域から第２の領域までの距離よりも長い。少なくともいくつかの実施形態では、この距離の差は、撓み可能部材３８０３に水晶体嚢力の少なくともある程度の機械的てこ作用を提供することができる。撓み可能部材３８０２に対する水晶体嚢の半径方向の力は、撓み可能部材の凸状撓み３８２４を誘導する。延長部３８１１は、反対の凹状曲率を有する。
【０１９９】
剛性部材、撓み可能部材、および１つまたは複数の触覚部等のＡＩＯＬの構成要素は、本明細書に記載される、同じポリマーを含み得る。これらの構成要素は、例えば、厚さにより、異なる量の柔軟性および剛性を有することができる。多くの実施形態では、触覚部は、水晶体嚢の半径方向内向きの力に応じる回転または並進のうちの１つまたは複数のものにより撓み可能部材を半径方向内向きに付勢するとき、少なくとも部分的に可逆的に変形する厚さを有する。
【０２００】
図３８Ｂは、図３８ＡにあるようなＡＩＯＬの負荷に応じた内部チャンバ圧を示す。ＡＩＯＬの内圧は、ＡＩＯＬの負荷とともにほぼ直線的に増加する。内圧および半径方向内向きの力の併用は、本明細書に記載されるように、眼が調節するときに屈折力を提供するために部材３８０３を撓ませることができる。モデル化された負荷は、ＡＩＯＬに対する水晶体嚢の力に対応する１つまたは複数の公表された最大負荷値に関して基準化され、これは、公表データに基づき当業者により容易に決定されることができる。本明細書においてモデル化されるＡＩＯＬの材料性質は、本明細書に記載される材料の公表データに基づき容易に決定することができる。
【０２０１】
本開示の好ましい実施形態が本明細書において示され、記載されてきたが、そのような実施形態が単に例として提供されることは、当業者には明らかであろう。多くの変形、変更、および置換が、本発明から逸脱することなく当業者により今後構想されるであろう。本明細書に記載される本開示の実施形態に対する様々な代替えは、本開示の実践において採用され得ることを理解するべきである。以下の特許請求の範囲は、本発明の範囲を画定し、これらの特許請求の範囲内の方法および構造ならびにそれらの等価物がそれにより網羅されるものとする。
【図１】
2018158196.tif 000003
【図２】
2018158196.tif 000004
【図３】
2018158196.tif 000005
【図４】
2018158196.tif 000006
【図５】
2018158196.tif 000007
【図６】
2018158196.tif 000008
【図７】
2018158196.tif 000009
【図８】
2018158196.tif 000010
【図９】
2018158196.tif 000011
【図１０】
2018158196.tif 000012
【図１１】
2018158196.tif 000013
【図１２】
2018158196.tif 000014
【図１３】
2018158196.tif 000015
【図１４】
2018158196.tif 000016
【図１５】
2018158196.tif 000017
【図１６】
2018158196.tif 000018
【図１７】
2018158196.tif 000019
【図１８】
2018158196.tif 000020
【図１９】
2018158196.tif 000021
【図２０】
2018158196.tif 000022
【図２１】
2018158196.tif 000023
【図２２】
2018158196.tif 000024
【図２３】
2018158196.tif 000025
【図２４】
2018158196.tif 000026
【図２５Ａ】
2018158196.tif 000027
【図２５Ｂ】
2018158196.tif 000028
【図２５Ｃ】
2018158196.tif 000029
【図２６】
2018158196.tif 000030
【図２７】
2018158196.tif 000031
【図２８】
2018158196.tif 000032
【図２９】
2018158196.tif 000033
【図３０】
2018158196.tif 000034
【図３１】
2018158196.tif 000035
【図３２】
2018158196.tif 000036
【図３３】
2018158196.tif 000037
【図３４】
2018158196.tif 000038
【図３５】
2018158196.tif 000039
【図３６】
2018158196.tif 000040
【図３７】
2018158196.tif 000041
【図３８】
2018158196.tif 000042
【外国語明細書】
2018158196000001.pdf